(57)【要約】【課題】ユーザにとって有用な情報を提供可能で利便性の高い情報提供システムを実現する。【解決手段】ユーザを識別可能な識別情報を含むユーザ情報が当該ユーザの携帯するユーザ側装置２０に記憶されており、ユーザ側装置２０から車載用ナビゲーション装置１０へユーザ情報が送信される。車載用ナビゲーション装置１０は、このユーザ情報と車両の位置情報とをセンタ側装置３０へ送信する。センタ側装置３０は、車載用ナビゲーション装置１０から通知された情報に基づき、センタ側装置３０で記憶している当該ユーザの属性情報と、車両の位置情報とに適合する施設等情報を施設等情報ＤＢ３３から検索し、これを車載用ナビゲーション装置１０へ送信する。車載用ナビゲーション装置１０は、センタ側装置３０から送信されてきた施設等情報をユーザに対して提示する。【選択図】図１
2008293102.tif 000002
【特許請求の範囲】
【請求項１】
車両に搭載される車両側装置と、当該車両を運転するユーザが携帯するユーザ側装置と、外部の情報センタに設けられるセンタ側装置とを備え、前記車両側装置と、前記ユーザ側装置及びセンタ側装置とが互いに通信可能に構成された情報提供システムであって、
前記ユーザ側装置は、
当該ユーザ側装置を携帯するユーザを識別可能な識別情報を少なくとも含むユーザ情報を記憶するユーザ情報記憶手段と、
前記ユーザ情報記憶手段に記憶されているユーザ情報を前記車両側装置へ送信するユーザ側送信手段とを備え、
前記車両側装置は、
車両の現在位置を検出する位置検出手段と、
前記位置検出手段によって検出された現在位置を示す位置情報と、前記ユーザ側装置から送信されてきたユーザ情報とを前記センタ側装置へ送信する車両側送信手段と、
前記センタ側装置から送信されてきた施設等情報に基づき、ユーザに対して情報を提示する情報提示手段とを備え、
前記センタ側装置は、
複数の施設又はイベントについて、各施設又はイベントに関する施設等情報を記憶する施設等情報記憶手段と、
複数のユーザについて、各ユーザを識別可能な識別情報と、各識別情報が示すユーザに関する属性情報とをそれぞれ対応付けて記憶する属性情報記憶手段と、
前記車両側装置から送信されてきたユーザ情報に含まれる識別情報が示すユーザに対応する属性情報を前記属性情報記憶手段から取得し、この取得した属性情報と前記車両側装置から送信されてきた位置情報とに応じた所定の条件に適合する施設等情報を前記施設等情報記憶手段から検索する検索手段と、
前記検索手段によって検索された施設等情報を前記車両側装置へ送信するセンタ側送信手段とを備えること
を特徴とする情報提供システム。
【請求項２】
車両に搭載される車両側装置と、当該車両を運転するユーザが携帯するユーザ側装置と、外部の情報センタに設けられるセンタ側装置とを備え、前記車両側装置と、前記ユーザ側装置及びセンタ側装置とが互いに通信可能に構成された情報提供システムであって、
前記ユーザ側装置は、
当該ユーザ側装置を携帯するユーザに関する属性情報を少なくとも含むユーザ情報を記憶するユーザ情報記憶手段と、
前記ユーザ情報記憶手段に記憶されているユーザ情報を前記車両側装置へ送信するユーザ側送信手段とを備え、
前記車両側装置は、
車両の現在位置を検出する位置検出手段と、
前記位置検出手段によって検出された現在位置を示す位置情報と、前記ユーザ側装置から送信されてきたユーザ情報とを前記センタ側装置へ送信する車両側送信手段と、
前記センタ側装置から送信されてきた施設等情報に基づき、ユーザに対して情報を提示する情報提示手段とを備え、
前記センタ側装置は、
複数の施設又はイベントについて、各施設又はイベントに関する施設等情報を記憶する施設等情報記憶手段と、
前記車両側装置から送信されてきたユーザ情報に含まれる属性情報と位置情報とに応じた所定の条件に適合する施設等情報を前記施設等情報記憶手段から検索する検索手段と、
前記検索手段によって検索された施設等情報を前記車両側装置へ送信するセンタ側送信手段とを備えること
を特徴とする情報提供システム。
【請求項３】
請求項１に記載の情報提供システムにおいて、
前記ユーザ側装置が備えるユーザ情報記憶手段は、前記識別情報のみを前記ユーザ情報として記憶する態様と、前記識別情報と前記識別情報が示すユーザに関する属性情報とを前記ユーザ情報として記憶する態様との何れの態様でも記憶可能に構成されており、
前記センタ側装置が備える検索手段は、前記車両側装置から送信されてきたユーザ情報に当該ユーザの属性情報が含まれている場合、この属性情報と前記車両側装置から送信されてきた位置情報とに応じた所定の条件に適合する施設等情報を前記施設等情報記憶手段から検索し、前記ユーザ情報に当該ユーザに対応する属性情報が含まれてない場合、このユーザ情報に含まれる識別情報が示すユーザに対応する属性情報を前記属性情報記憶手段から取得し、この取得した属性情報と前記車両側装置から送信されてきた位置情報とに応じた所定の条件に適合する施設等情報を前記施設等情報記憶手段から検索すること
を特徴とする情報提供システム。
【請求項４】
請求項１又は請求項３に記載の情報提供システムにおいて、
前記ユーザ側装置と前記車両側装置とは、無線通信により互いに通信可能に構成されており、
前記車両側装置は、前記ユーザ側装置と前記車両側装置とが互いに所定の通信圏内に入ったときを契機に、前記ユーザ側装置から前記ユーザ情報を受信すること
を特徴とする情報提供システム。
【請求項５】
請求項１、請求項３又は請求項４の何れか１項に記載の情報提供システムにおいて、
前記車両側装置と前記センタ側装置とは、所定の大容量通信向けの通信方式と、所定の小容量通信向けの通信方式との２種類通信方式で通信可能に構成されており、
前記センタ側装置と前記車両側装置とが前記施設等情報の送受信を行う際、相対的に情報量の多い施設等情報については前記大容量通信向けの通信方式を用い、相対的に情報量の少ない施設等情報については前記小容量通信向けの通信方式を用いること
を特徴とする情報提供システム。
【請求項６】
請求項５に記載の情報提供システムにおいて、
前記センタ側装置は、前記属性情報及び前記位置情報に適合する相対的に情報量の少ない施設等情報を第１の前記施設等情報記憶手段から検索し、これを前記小容量通信向けの通信方式で前記車両側装置へ送信する第１のセンタ側装置と、前記第１のセンタ側装置によって検索された施設等情報が示す施設又はイベントに関する相対的に情報量の多い施設等情報を第２の前記施設等情報記憶手段から検索し、これを前記大容量通信向けの通信方式で前記車両側装置へ送信する第２のセンタ側装置とからなること
を特徴とする情報提供システム。
【請求項７】
請求項１又は請求項３〜６の何れか１項に記載の情報提供システムにおいて、
前記車両側装置又はユーザ側装置は、車両の現在位置を基準とする距離的検索範囲又は時間的検索範囲の少なくとも何れか一方の検索範囲をユーザにより指定可能に構成されており、
前記車両側送信手段は、前記位置情報及び前記ユーザ情報と共に、ユーザにより指定された検索範囲を示す検索範囲情報を前記センタ側装置へ送信し、
前記センタ側装置が備える検索手段は、前記属性情報と前記位置情報と前記検索範囲情報で示される検索範囲とに基づく所定の条件に適合する施設等情報を前記施設等情報記憶手段から検索すること
を特徴とする情報提供システム。
【請求項８】
請求項１又は請求項３〜７の何れか１項に記載の情報提供システムにおいて、
前記車両側装置又はユーザ側装置は、検索する施設又はイベントのカテゴリをユーザにより指定可能に構成されており、
前記車両側送信手段は、前記位置情報及び前記ユーザ情報と共に、ユーザにより指定されたカテゴリを示すカテゴリ情報を前記センタ側装置へ送信し、
前記センタ側装置が備える検索手段は、前記属性情報と前記位置情報とカテゴリ情報とに基づく所定の条件に適合する施設等情報を前記施設等情報記憶手段から検索すること
を特徴とする情報提供システム。
【請求項９】
請求項１又は請求項３〜８の何れか１項に記載の情報提供システムにおいて、
前記車両側装置又はユーザ側装置は、施設等情報の検索においてユーザの属性情報を考慮するか否かをユーザにより選択可能に構成されており、
前記車両側送信手段は、ユーザの属性情報を考慮しないと選択された場合、前記位置情報のみを前記センタ側装置へ送信し、
前記センタ側装置が備える検索手段は、前記位置情報のみに応じた所定の条件に適合する施設等情報を前記施設等情報記憶手段から検索すること
を特徴とする情報提供システム。
【請求項１０】
請求項１又は請求項３〜９の何れか１項に記載の情報提供システムにおいて、
当該情報提供システムによる一連の処理を開始させる指示をワンプッシュ操作にて入力可能な入力手段を、前記ユーザ側装置又は車両側装置の少なくとも何れ一方かに備え、
前記入力手段によって開始指示が入力されたことを契機に、前記一連の処理を開始すること
を特徴とする情報提供システム。
【請求項１１】
請求項１又は請求項３〜１０の何れか１項に記載の情報提供システムにおいて、
前記車両側装置が備える情報提示手段は、前記センタ側装置から受信した施設等情報に基づき、各施設又はイベントごとに相対的に情報量が少ない施設等情報である見出し情報を提示し、この提示した見出し情報の中からユーザにより指定された見出し情報が示す施設又はイベントに関する相対的に情報量の多い施設等情報である詳細情報を提示すること
を特徴とする情報提供システム。
【請求項１２】
請求項１１に記載の情報提供システムにおいて、
前記センタ側装置が備えるセンタ側送信手段は、初めに前記見出し情報を前記車両側装置へ送信し、
前記車両側装置は、前記情報提示手段によって提示した前記見出し情報の中からユーザにより指定された見出し情報が示す施設又はイベントに関する前記詳細情報の送信を前記センタ側装置に対して要求し、
前記センタ側装置が備えるセンタ側送信手段は、前記車両側装置からの前記詳細情報の要求に応じて、当該要求に該当する施設又はイベントに対応する前記詳細情報を前記車両側装置へ送信すること
を特徴とする情報提供システム。
【請求項１３】
請求項１１又は１２に記載の情報提供システムにおいて、
前記車両側装置は、ユーザにより前記詳細情報の提示を指定された施設又はイベントを示す情報を提示履歴情報として前記センタ側装置へ送信する提示履歴送信手段を更に備え、
前記センタ側装置は、
前記車両側装置から送信されてきた提示履歴情報を、前記属性情報記憶手段における当該ユーザのレコードに対応付けて記録する提示履歴情報記録手段を更に備え、
前記センタ側送信手段は、前記検索手段によって検索された施設等情報のうち、
前記属性情報記憶手段に記憶されている当該ユーザの提示履歴情報に該当する施設等情報については、その旨を加味した所定の態様にて送信を行うこと
を特徴とする情報提供システム。
【請求項１４】
請求項１又は請求項３〜１３の何れか１項に記載の情報提供システムにおいて、
前記車両側装置は、
前記位置検出手段による検出結果に基づき、前記センタ側装置から取得した施設等情報が示す施設又はイベントへの立ち寄りを検出し、当該施設又はイベントに立ち寄ったことを示す情報を当該ユーザの立ち寄り履歴情報として前記センタ側装置へ送信する立ち寄り履歴送信手段を更に備え、
前記センタ側装置は、
前記車両側装置から送信されてきた立ち寄り履歴情報を、前記属性情報記憶手段における当該ユーザのレコードに対応付けて記録する立ち寄り履歴情報記録手段を更に備え、
前記センタ側送信手段は、前記検索手段によって検索された施設等情報のうち、
前記属性情報記憶手段に記憶されている当該ユーザの立ち寄り履歴情報に該当する施設等情報については、その旨を加味した所定の態様にて送信を行うこと
を特徴とする情報提供システム。
【請求項１５】
請求項１又は請求項３〜１３の何れか１項に記載の情報提供システムにおいて、
前記センタ側装置は、ネットワークを介して複数の端末に対して通信可能に接続されており、前記センタ側装置に対して前記施設等情報を提供する者の端末から、前記施設等情報を登録・更新可能に構成されていること
を特徴とする情報提供システム。
【請求項１６】
請求項１〜１５の何れか１項に記載の情報提供システムにおいて、
前記車両側装置は、地図データに基づく経路案内を行う車載用ナビゲーション装置であること
を特徴とする情報提供システム。
【請求項１７】
請求項１〜１６の何れか１項に記載の情報提供システムにおいて、
前記ユーザ側装置は、携帯電話機であること
を特徴とする情報提供システム。
【請求項１８】
請求項１〜１７の何れか１項に記載の情報提供システムにおいて、
前記ユーザ側装置は、無線通信により車両のドアの開錠／施錠及びエンジン動作のための認証を行う電子キーシステムに用いられる携帯機であること
を特徴とする情報提供システム。
【請求項１９】
請求項１〜１８の何れか１項に記載の情報提供システムを構成する車両側装置について記載した構成を備えることを特徴とする車両側装置。
【請求項２０】
請求項１〜１８の何れか１項に記載の情報提供システムを構成するセンタ側装置について記載した構成を備えることを特徴とするセンタ側装置。
【請求項２１】
請求項１〜１８の何れか１項に記載の情報提供システムを構成するユーザ側装置について記載した構成を備えることを特徴とするユーザ側装置。
【請求項２２】
車両に搭載される車両側装置と、
車両を運転するユーザが携帯するユーザ側装置であって、当該ユーザ側装置を携帯するユーザを識別可能な識別情報を少なくとも含むユーザ情報を記憶するユーザ情報記憶手段と、このユーザ情報記憶手段に記憶されているユーザ情報を前記車両側装置へ送信するユーザ側送信手段とを備えるユーザ側装置と、
外部の情報センタに設けられるセンタ側装置であって、複数の施設又はイベントについて、各施設又はイベントに関する施設等情報を記憶する施設等情報記憶手段と、複数のユーザについて、各ユーザを識別可能な識別情報と、各識別情報が示すユーザに関する属性情報とをそれぞれ対応付けて記憶する属性情報記憶手段と、前記車両側装置から送信されてきたユーザ情報に含まれる識別情報が示すユーザに対応する属性情報を前記属性情報記憶手段から取得し、この取得した属性情報と前記車両側装置から送信されてきた位置情報とに応じた所定の条件に適合する施設等情報を前記施設等情報記憶手段から検索する検索手段と、前記検索手段によって検索された施設等情報を前記車両側装置へ送信するセンタ側送信手段とを備えるセンタ側装置とを備え、
前記車両側装置と、前記ユーザ側装置及びセンタ側装置とが互いに通信可能に構成された情報提供システムに用いられる前記車両側装置としてコンピュータを機能させるための車両側装置用プログラムであって、
車両の現在位置を示す位置情報と、前記ユーザ側装置から送信されてきたユーザ情報とを前記センタ側装置へ送信する車両側送信手段と、
前記センタ側装置から送信されてきた施設等情報に基づき、ユーザに対して情報を提示する情報提示手段としてコンピュータを機能させること
を特徴とする車両側装置用プログラム。
【請求項２３】
車両に搭載される車両側装置と、
車両を運転するユーザが携帯するユーザ側装置であって、当該ユーザ側装置を携帯するユーザに関する属性情報を少なくとも含むユーザ情報を記憶するユーザ情報記憶手段と、このユーザ情報記憶手段に記憶されているユーザ情報を前記車両側装置へ送信するユーザ側送信手段とを備えるユーザ側装置と、
外部の情報センタに設けられるセンタ側装置であって、複数の施設又はイベントについて、各施設又はイベントに関する施設等情報を記憶する施設等情報記憶手段と、前記車両側装置から送信されてきたユーザ情報に含まれる属性情報と位置情報とに応じた所定の条件に適合する施設等情報を前記施設等情報記憶手段から検索する検索手段と、前記検索手段によって検索された施設等情報を前記車両側装置へ送信するセンタ側送信手段とを備えるセンタ側装置とを備え、
前記車両側装置と、前記ユーザ側装置及びセンタ側装置とが互いに通信可能に構成された情報提供システムに用いられる前記車両側装置としてコンピュータを機能させるための車両側装置用プログラムであって、
車両の現在位置を示す位置情報と、前記ユーザ側装置から送信されてきたユーザ情報とを前記センタ側装置へ送信する車両側送信手段と、
前記センタ側装置から送信されてきた施設等情報に基づき、ユーザに対して情報を提示する情報提示手段としてコンピュータを機能させること
を特徴とする車両側装置用プログラム。
【請求項２４】
車両を運転するユーザが携帯するユーザ側装置であって、当該ユーザ側装置を携帯するユーザを識別可能な識別情報を少なくとも含むユーザ情報を記憶するユーザ情報記憶手段と、このユーザ情報記憶手段に記憶されているユーザ情報を車両側装置へ送信するユーザ側送信手段とを備えるユーザ側装置と、
車両に搭載される車両側装置であって、車両の現在位置を検出する位置検出手段と、前記位置検出手段によって検出された現在位置を示す位置情報と、前記ユーザ側装置から送信されてきたユーザ情報とを前記センタ側装置へ送信する車両側送信手段と、前記センタ側装置から送信されてきた施設等情報に基づき、ユーザに対して情報を提示する情報提示手段とを備える車両側装置と、
外部の情報センタに設けられるセンタ側装置とを備え、
前記車両側装置と、前記ユーザ側装置及びセンタ側装置とが互いに通信可能に構成された情報提供システムに用いられる前記センタ側装置としてコンピュータを機能させるためのセンタ側装置用プログラムであって、
前記車両側装置から送信されてきたユーザ情報に含まれる識別情報が示すユーザに対応する属性情報を当該センタ側装置が備える属性情報記憶手段から取得し、この取得した属性情報と前記車両側装置から送信されてきた位置情報とに応じた所定の条件に適合する施設等情報を当該センタ側装置が備える施設等情報記憶手段から検索する検索手段と、前記検索手段によって検索された施設等情報を前記車両側装置へ送信するセンタ側送信手段としてコンピュータを機能させること
を特徴とするセンタ側装置用プログラム。
【請求項２５】
車両を運転するユーザが携帯するユーザ側装置であって、当該ユーザ側装置を携帯するユーザに関する属性情報を少なくとも含むユーザ情報を記憶するユーザ情報記憶手段と、このユーザ情報記憶手段に記憶されているユーザ情報を前記車両側装置へ送信するユーザ側送信手段とを備えるユーザ側装置と、
車両に搭載される車両側装置であって、車両の現在位置を検出する位置検出手段と、前記位置検出手段によって検出された現在位置を示す位置情報と、前記ユーザ側装置から送信されてきたユーザ情報とを前記センタ側装置へ送信する車両側送信手段と、前記センタ側装置から送信されてきた施設等情報に基づき、ユーザに対して情報を提示する情報提示手段とを備える車両側装置と、
外部の情報センタに設けられるセンタ側装置とを備え、
前記車両側装置と、前記ユーザ側装置及びセンタ側装置とが互いに通信可能に構成された情報提供システムに用いられる前記センタ側装置としてコンピュータを機能させるためのセンタ側装置用プログラムであって、
前記車両側装置から送信されてきたユーザ情報に含まれる属性情報と位置情報とに応じた所定の条件に適合する施設等情報を当該センタ側装置が備える施設等情報記憶手段から検索する検索手段と、前記検索手段によって検索された施設等情報を前記車両側装置へ送信するセンタ側送信手段としてコンピュータを機能させること
を特徴とするセンタ側装置用プログラム。
【請求項２６】
車両を運転するユーザが携帯するユーザ側装置と、
車両に搭載される車両側装置であって、車両の現在位置を検出する位置検出手段と、前記位置検出手段によって検出された現在位置を示す位置情報と、前記ユーザ側装置から送信されてきたユーザ情報とを前記センタ側装置へ送信する車両側送信手段と、前記センタ側装置から送信されてきた施設等情報に基づき、ユーザに対して情報を提示する情報提示手段とを備える車両側装置と、
外部の情報センタに設けられるセンタ側装置であって、複数の施設又はイベントについて、各施設又はイベントに関する施設等情報を記憶する施設等情報記憶手段と、複数のユーザについて、各ユーザを識別可能な識別情報と、各識別情報が示すユーザに関する属性情報とをそれぞれ対応付けて記憶する属性情報記憶手段と、前記車両側装置から送信されてきたユーザ情報に含まれる識別情報が示すユーザに対応する属性情報を前記属性情報記憶手段から取得し、この取得した属性情報と前記車両側装置から送信されてきた位置情報とに応じた所定の条件に適合する施設等情報を前記施設等情報記憶手段から検索する検索手段と、前記検索手段によって検索された施設等情報を前記車両側装置へ送信するセンタ側送信手段とを備えるセンタ側装置とを備え、
前記車両側装置と、前記ユーザ側装置及びセンタ側装置とが互いに通信可能に構成された情報提供システムに用いられる前記ユーザ側装置としてコンピュータを機能させるためのユーザ側装置用プログラムであって、
当該ユーザ側装置が備えるユーザ情報記憶手段に記憶されている、当該ユーザ側装置を携帯するユーザを識別可能な識別情報を少なくとも含むユーザ情報を前記車両側装置へ送信するユーザ側送信手段としてコンピュータを機能させること
を特徴とするユーザ側装置用プログラム。
【請求項２７】
車両を運転するユーザが携帯するユーザ側装置と、
車両に搭載される車両側装置であって、車両の現在位置を検出する位置検出手段と、前記位置検出手段によって検出された現在位置を示す位置情報と、前記ユーザ側装置から送信されてきたユーザ情報とを前記センタ側装置へ送信する車両側送信手段と、前記センタ側装置から送信されてきた施設等情報に基づき、ユーザに対して情報を提示する情報提示手段とを備える車両側装置と、
外部の情報センタに設けられるセンタ側装置であって、複数の施設又はイベントについて、各施設又はイベントに関する施設等情報を記憶する施設等情報記憶手段と、前記車両側装置から送信されてきたユーザ情報に含まれる属性情報と位置情報とに応じた所定の条件に適合する施設等情報を前記施設等情報記憶手段から検索する検索手段と、前記検索手段によって検索された施設等情報を前記車両側装置へ送信するセンタ側送信手段とを備えるセンタ側装置とを備え、
前記車両側装置と、前記ユーザ側装置及びセンタ側装置とが互いに通信可能に構成された情報提供システムに用いられる前記ユーザ側装置としてコンピュータを機能させるためのユーザ側装置用プログラムであって、
当該ユーザ側装置が備えるユーザ情報記憶手段に記憶されている、当該ユーザ側装置を携帯するユーザに関する属性情報を少なくとも含むユーザ情報を前記車両側装置へ送信するユーザ側送信手段としてコンピュータを機能させること
を特徴とするユーザ側装置用プログラム。
【発明の詳細な説明】
【技術分野】
【０００１】
本発明は、施設やイベント等に関する情報を車両のユーザに対して提供する情報提供システムに関する。
【背景技術】
【０００２】
従来、車両のユーザに対して施設等の情報を提供する情報提供システムとしては、例えば、特許文献１に記載のものが知られている。具体的には、パーソナルコンピュータ（以下、パソコン）や車載端末といったユーザ端末を介してあるユーザがお気に入りとして情報センタに登録した施設情報を、情報センタから当該ユーザのユーザ端末へ提供する。また、あるユーザからの施設情報の問い合わせに応じて、当該要求のあったユーザと同一の属性を有する他のユーザ向けにお気に入り登録されている施設情報を、当該要求のあったユーザのユーザ端末へ提供する。
【特許文献１】特開２００４−７０７７３号公報
【発明の開示】
【発明が解決しようとする課題】
【０００３】
しかしながら、特許文献１に記載の情報提供システムでは、ユーザが施設情報の提供を要求する際、情報センタ側で要求元のユーザ特定するためにユーザの識別情報（ＩＤ番号）やパスワードを入力する必要がある。例えばパソコンや、ユーザが所有する車両のユーザ端末、あるいは、レンタカー等の他者が所有する車両のユーザ端末等の、何れユーザ端末から施設情報の提供を要求する場合においても、必ずＩＤ番号やパスワードの入力するための操作を要するため、ユーザにとって大変煩わしい。
【０００４】
また、ユーザ自身がお気に入り登録した施設情報以外の未知の施設情報の中から、自分の嗜好や関心に適合する施設情報を検索しようとした場合は、自分と同一属性有する他のユーザによってお気に入りに登録された施設情報のみしか得られない。つまり、自分がお気に入り登録をしていない未知の施設情報については、他のユーザによってお気に入りに登録された施設情報以外は検索対象から外されるため、ユーザが得られる施設情報は限定されたものになる。このため、施設情報の提供を受けるユーザにとっては情報の選択の幅が非常に小さくなり、有用な情報を多く得たいという観点からすれば不利である。さらに、情報センタに対して施設情報を提供する者（例えば、施設の運営者）にとっては、自身が提供した施設情報がユーザに提供される機会が少なくなるため、広告効果の観点からすれば非常に不利である。
【０００５】
また、情報センタに登録されている施設情報に対してユーザからお気に入り登録を受けるまでには、多くのプロセスを経る必要があると考えられる。例えば、新規に情報センタに登録された施設情報について、ユーザがその施設情報を探し当てた上で、この情報を読んだり、実際にその施設を利用したりして、ユーザが当該施設情報あるいは施設を気に入った場合のみ、その施設情報を自身のお気に入りとして登録するといったプロセスを経ることになる。このようなプロセスを経て施設情報がユーザによってお気に入りに登録されるまでには、当該施設情報が情報センタに新規に登録されてから非常に長い時間を要する場合がある。
【０００６】
このような場合、当該施設情報が期間限定のイベントに関する情報であったとしたら、この施設情報があるユーザからお気に入りに登録されることで他のユーザへも提供可能になった頃には、そのイベントを利用可能な期間は終わってしまっているおそれもある。このようなことが起きれば当該施設情報の有用性は損なわれてしまい、ユーザにとって有用な情報を提供することができない。
【０００７】
本発明は、このような問題を鑑みなされており、ユーザにとって有用な情報を提供可能で利便性の高い情報提供システムを実現するための技術を提供することを目的とする。
【課題を解決するための手段】
【０００８】
上記目的を達成するためになされた請求項１に記載の情報提供システムは、以下のような特徴を有する。
ユーザを識別可能な識別情報を含むユーザ情報が当該ユーザの携帯するユーザ側装置に記憶されており、ユーザ側装置から車両側装置へユーザ情報が送信される。車両側装置は、このユーザ情報と車両の位置情報とをセンタ側装置へ送信する。センタ側装置は、車両側装置から通知された情報に基づき、センタ側装置で記憶している当該ユーザの属性情報と、車両の位置情報とに適合する施設等情報を施設等情報記憶手段から検索し、これを車両側装置へ送信する。車両側装置は、センタ側装置から送信されてきた施設等情報をユーザに対して提示する。具体的には、複数の施設等情報のうち、要求元のユーザの属性情報に適合し、かつ、車両の現在位置から所定範囲内にある施設やイベントに関する施設等情報のみを検索し、ユーザに提供するといった運用が考えられる。
【０００９】
このように構成された情報提供システムによれば、センタ側装置に対して施設やイベントに関する施設等情報の送信を要求する際に、ユーザ自身がＩＤ番号やパスワード等を入力する必要がないため、簡単に施設等情報を取得できて便利である。さらに、車両側装置に対してユーザが手動で識別情報を入力するといった構成を廃しているので、ユーザ側装置を持たない、すなわちユーザではない第三者が他人の識別情報を不正に入力してセンタ側装置へアクセスすることは困難であり、セキュリティの面も考慮した構成となっている。
【００１０】
また、センタ側装置からユーザに対して提供される施設等情報は、ユーザが搭乗する車両の現在位置や当該ユーザの識別情報に対応付けられている属性情報に適合するものとして検索されたものであり、ユーザにとって有用な情報である。
【００１１】
また、センタ側装置が提供可能な施設等情報としては、例えば飲食店や衣料店、病院、駐車場といった施設に関する情報だけでなく、展示会やバーゲンセールといった開催日時等の時限性があるイベント（催事）に関する情報も含まれる。本発明の情報提供システムでは、あるユーザによって特定の施設情報がお気に入りに登録されることで初めて他のユーザにも当該施設情報を提供可能になるといった回りくどいプロセス（特許文献１参照）を経る必要はない。よって、ユーザは、他のユーザからのお気に入り登録の有無に関係なくあらゆる施設等情報の中から検索された有用な情報を得ることができる。また、上述のような時限性のある情報も遅延なく取得できる。また、施設等情報をセンタ側装置へ提供する者（例えば、施設等の運営者）にとっては、自身が提供した施設等情報がユーザに広くあまねく提供されることになり、広告効果の観点から有利である。
【００１２】
なお、センタ側装置に格納されている施設等情報の具体的な内容については、例えば、施設又はイベントごとに、施設やイベントの名称、位置、日時、ジャンル、詳細情報、当該施設やイベントの対象者の年齢、性別、趣味、嗜好、関心事項等を示す情報等の種々の情報が挙げられるが、これらに限定されるものではない。また、センタ側装置に格納されている各ユーザの属性情報の具体的な内容については、当該ユーザの年齢、性別、趣味、嗜好、関心事項、既往歴等、当該ユーザに関する種々の情報が挙げられるが、これらに限定されるものではない。
【００１３】
一方、ユーザに関する属性情報をセンタ側装置ではなくユーザ側装置に記憶させておき、これを車両側装置を経由してセンタ側装置へ送信するような構成であってもよい。具体的には、請求項２に記載のように構成するとよい。
【００１４】
すなわち、ユーザに関する属性情報を含むユーザ情報が当該ユーザの携帯するユーザ側装置に記憶されており、ユーザ側装置から車両側装置へユーザ情報が送信される。車両側装置は、このユーザ情報と車両の位置情報とをセンタ側装置へ送信する。センタ側装置は、車両側装置から通知された情報に基づき、通知された当該ユーザの属性情報と、車両の位置情報とに適合する施設等情報を施設等情報記憶手段から検索し、これを車両側装置へ送信する。車両側装置は、センタ側装置から送信されてきた施設等情報をユーザに対して提示する。
【００１５】
このように構成された情報提供システムにおいても、前述の請求項１に記載の情報提供システムと同様の効果を得ることができる。
また、請求項３に記載の情報提供システムのように、ユーザ側装置がユーザの識別情報のみを記憶している場合と、ユーザ側装置がユーザの識別情報に加えて属性情報も記憶している場合との何れにおいても、センタ側装置からユーザに適合した施設等情報を提供可能な構成とすることが考えられる。
【００１６】
具体的には、ユーザ側装置が備えるユーザ情報記憶手段は、識別情報のみをユーザ情報として記憶する態様と、識別情報と当該識別情報が示すユーザに関する属性情報とをユーザ情報として記憶する態様との何れの態様でも記憶可能に構成に構成されている。そして、センタ側装置が備える検索手段は、車両側装置から送信されてきたユーザ情報に当該ユーザの属性情報が含まれている場合、この属性情報と車両側装置から送信されてきた位置情報とに応じた所定の条件に適合する施設等情報を施設等情報記憶手段から検索する。一方、ユーザ情報に当該ユーザに対応する属性情報が含まれてない場合、このユーザ情報に含まれる識別情報が示すユーザに対応する属性情報を属性情報記憶手段から取得し、この取得した属性情報と車両側装置から送信されてきた位置情報とに応じた所定の条件に適合する施設等情報を施設等情報記憶手段から検索する。
【００１７】
このように構成された情報提供システムによれば、ユーザ側装置にユーザの識別情報のみを記憶させておく態様でも、ユーザの識別情報と属性情報とを対応付けて記憶させておく態様でも、ユーザにとって有用な情報を提供可能であり、便利である。
【００１８】
ところで、ユーザ側装置と車両側装置との間のユーザ情報の送受信は、請求項４に記載のように、ユーザ側装置と車両側装置とが互いに所定の通信圏内に入ったときを契機に行われるように構成するとよい。ここで、所定の通信圏内とは、例えば少なくとも車両内を通信エリアに含む近距離無線通信にて通信可能な範囲とすることが考えられる。
【００１９】
このようにすれば、ユーザ側装置を所持するユーザが車両に搭乗するために接近したり、車両に搭乗することで、自動的にユーザ側装置と車両側装置との間のユーザ情報の送受信が行われるため、センタ側装置から施設等情報を効率よく取得することができる。
【００２０】
ところで、センタ側装置と車両側装置との間の通信に利用する通信方式としては、例えば携帯電話網やＰＨＳ網、狭域無線通信等の種々の通信において利用される通信方式が挙げられる。これらの各種通信方式には、通信速度、通信範囲、通信コスト等の種々の面でそれぞれ特徴が異なる。
【００２１】
そこで、請求項５に記載のように構成するとよい。具体的には、車両側装置とセンタ側装置とは、所定の大容量通信向けの通信方式と、所定の小容量通信向けの通信方式との２種類通信方式で通信可能に構成されている。そして、センタ側装置と車両側装置とが施設等情報の送受信を行う際、相対的に情報量の多い施設等情報については大容量通信向けの通信方式を用い、相対的に情報量の少ない施設等情報については小容量通信向けの通信方式を用いる。
【００２２】
なお、小容量通信向けの通信方式及び大容量通信向けの通信方式として、具体的にどのような通信方式を採用するかについては、各通信方式の利点・欠点を考慮してシステム運用上の意図に見合ったものを適宜選択すればよい。例えば、小容量通信向けの通信方式には通信速度が比較的遅くとも、通信範囲が広く通信コストが低い通信方式を採用し、大容量通信向けの通信方式には通信速度が比較的速い通信方式を採用することが考えられる。
【００２３】
このように構成された情報提供システムによれば、施設等情報の情報量の多少に応じて、それぞれに見合った通信方式で通信を行うため、施設等情報を効率よく送受信することができる。
【００２４】
また、センタ側装置についても、請求項６に記載のように、相対的に情報量の少ない施設等情報を第１の施設等情報記憶手段から検索し、これを小容量通信向けの通信方式で車両側装置へ送信する第１のセンタ側装置と、相対的に情報量の多い施設等情報を第２の施設等情報記憶手段から検索し、これを大容量通信向けの通信方式で車両側装置へ送信する第２のセンタ側装置とからなる構成にするとよい。このようにすることで、例えば、施設やイベントに関する見出し情報のような相対的に情報量の少ない施設等情報については第１のセンタ側装置で管理し、見出し情報に対応する詳細なテキストデータや画像データのような相対的に情報量の多い施設等情報については第２のセンタ側装置で管理するといった運用が可能になる。
【００２５】
ところで、センタ側装置から施設等情報を取得する際、車両の現在位置を基準とした検索範囲をユーザが指定でき、その指定された検索範囲内に限定した施設やイベントに関する施設等情報を得られるように構成することが考えられる。そこで、請求項７に記載のように構成するとよい。具体的には、車両側装置又はユーザ側装置は、車両の現在位置を基準とする距離的検索範囲又は時間的検索範囲の少なくとも何れか一方の検索範囲をユーザにより指定可能に構成されている。そして、車両側送信手段は、位置情報及びユーザ情報と共に、ユーザにより指定された検索範囲を示す検索範囲情報をセンタ側装置へ送信する。センタ側装置が備える検索手段は、ユーザの属性情報と位置情報と検索範囲情報とに基づく所定の条件に適合する施設等情報を検索する。
【００２６】
ここで、ユーザが指定する検索範囲としては、例えば、「現在位置から半径○ｋｍ以内」といった距離的検索範囲や、「現在位置から○分以内に到達可能」といった時間的検索範囲等が挙げられる。例えば、「現在位置から半径○ｋｍ以内」という検索範囲がユーザにより指定されれば、センタ側装置は、当該ユーザの属性情報に適合し、かつ指定された検索範囲内に所在する施設やイベントに関する施設等情報を検索し、これをユーザに対して提供するといった運用が考えられる。
【００２７】
このように構成された情報提供システムによれば、車両の現在位置を基準とした検索範囲をユーザが任意に指定することで、よりユーザの意図に沿った情報提供を行うことができるので好適である。
【００２８】
また、センタ側装置から施設等情報を取得する際、検索する施設やイベントのカテゴリ（種類）をユーザが指定でき、その指定されたカテゴリに適合する施設やイベントに関する施設等情報のみを得られるように構成することが考えられる。そこで、請求項８のように構成するとよい。具体的には、車両側装置又はユーザ側装置は、検索する施設又はイベントのカテゴリをユーザにより指定可能に構成されている。そして、車両側送信手段は、位置情報及びユーザ情報と共に、ユーザにより指定されたカテゴリを示すカテゴリ情報をセンタ側装置へ送信する。センタ側装置が備える検索手段は、属性情報と位置情報とカテゴリ情報とに基づく所定の条件に適合する施設等情報を検索する。
【００２９】
ここで、ユーザが指定するカテゴリとしては、例えば飲食店、衣料店、観光スポット、病院等といった種々のカテゴリが挙げられる。例えば、「飲食店」というカテゴリがユーザにより指定されれば、センタ側装置が、当該ユーザの属性情報や位置情報に適合し、かつ飲食店に該当する施設に関する施設等情報を検索し、これをユーザに対して提供するといった運用が考えられる。
【００３０】
このように構成された情報提供システムによれば、検索する施設やイベントのカテゴリをユーザが指定することで、よりユーザの意図に沿った情報提供を行うことができるので好適である。
【００３１】
一方、ユーザが、例えば旅行先等で目新しい情報を多く入手したいと考えているようなケースにおいては、ユーザの性別、年齢、趣味、嗜好といった属性情報に基づいて提供する情報を絞り込むよりは、むしろこれらの属性情報に関係なく、より多くの情報を提供することで、よりユーザの意図に沿った情報提供を行うことができると考えられる。
【００３２】
そこで、請求項９に記載のように構成するとよい。具体的には、車両側装置又はユーザ側装置は、施設等情報の検索においてユーザの属性情報を考慮するか否かをユーザにより選択可能に構成されている。車両側送信手段は、ユーザの属性情報を考慮しないと選択された場合、位置情報のみをセンタ側装置へ送信する。そして、センタ側装置が備える検索手段は、位置情報のみに応じた所定の条件に適合する施設等情報を施設等情報記憶手段から検索する。
【００３３】
このようにすることで、ユーザの属性情報を廃して施設等情報の検索を行う態様をユーザ自身が選択可能であり、その時々のユーザの事情に応じた柔軟な態様にて情報提供を行うことができる。
【００３４】
つぎに、請求項１０に記載の情報提供システムは、当該情報提供システムによる一連の処理を開始させる指示をワンプッシュ操作にて入力可能な入力手段を、ユーザ側装置又は車両側装置の少なくとも何れ一方かに備え、入力手段によって開始指示が入力されたことを契機に、一連の処理を開始することを特徴とする。なお、入力手段は、メカニカルなキースイッチによって構成されるものであってもよいし、ディスプレイ等の表面に形成されるタッチパネルや、ポインティングデバイス等で操作可能なＧＵＩによって構成されるものであってもよい。このように構成された情報提供システムによれば、ユーザの任意のタイミングで簡単に施設等情報を取得することができるため便利である。
【００３５】
ところで、センタ側装置から車両側装置へ送信された施設等情報が複数件ある場合、施設等情報の提示方法を工夫することで提示される情報の混雑を避け、ユーザがそれぞれの施設等情報の内容を確認し易くすることが肝要である。そこで、請求項１１に記載のように構成するとよい。具体的には、車両側装置が備える情報提示手段は、センタ側装置から受信した施設等情報に基づき、各施設又はイベントごとに相対的に情報量が少ない施設等情報である見出し情報を提示し、この提示した見出し情報の中からユーザにより指定された見出し情報が示す施設又はイベントに関する相対的に情報量の多い施設等情報である詳細情報を提示する。
【００３６】
このように構成された情報提供システムによれば、複数件の施設等情報のうち、ユーザが興味を示した施設やイベントについてのみ詳細な情報が提示されるので、提示される情報の混雑を回避でき、ユーザが施設等情報の内容を確認しやすくなる。
【００３７】
また、請求項１１に記載のように、センタ側装置は、初めに相対的に情報量が少ない施設等情報である見出し情報を車両側装置へ送信し、車両側装置は、ユーザにより指定された見出し情報が示す施設又はイベントに関する相対的に情報量の多い施設等情報である詳細情報の送信をセンタ側装置に対して改めて要求するような構成であってもよい。
【００３８】
このように構成することで、ユーザが興味を示さなかった施設やイベントについては見出し情報の送受信が行われるのみで詳細情報の送受信が行われないため、その分の通信コストを低減することができる。
【００３９】
また、請求項１３に記載のように、センタ側装置において、ユーザにより前記詳細情報の提示を指定された施設又はイベントを示す情報を当該ユーザの提示履歴情報として記憶しておき、検索手段によって検索された施設等情報のうち、記憶している提示履歴情報に該当する施設等情報については、その旨を加味した所定の態様にて車両側装置へ送信するように構成するとよい。具体的には、例えば提示履歴情報で示される施設又はイベントに関する施設等情報については、車両側装置において強調表示されるような態様で送信したり、詳細情報を過去に提示した旨を示す情報を付加した態様で送信する等といった運用が考えられる。
【００４０】
このように構成された情報提供システムによれば、施設等情報をユーザに対して提供する際において、ユーザが詳細情報を参照した履歴に基づいて付加的なサービスを提供できるので、便利である。
【００４１】
また、請求項１４に記載のように、センタ側装置において、ユーザへ提供した施設等情報が示す施設やイベントにユーザが実際に立ち寄ったことを示す情報を当該ユーザの立ち寄り履歴情報として記憶しておき、前記検索手段によって検索された施設等情報のうち、記憶されている当該ユーザの立ち寄り履歴情報に該当する施設等情報については、その旨を加味した所定の態様にて車両側装置へ送信するように構成することも考えられる。具体的には、例えば立ち寄り履歴情報で示される施設又はイベントに関する施設等情報については、車両側装置において強調表示されるような態様で送信したり、過去に当該施設又はイベントに立ち寄ったことがある旨を示す情報を付加して送信する等といった運用が考えられる。
【００４２】
このように構成された情報提供システムによれば、施設等情報をユーザに対して提供する際において、ユーザが実際に施設やイベントに立ち寄った履歴に基づいて付加的なサービスを提供できるので、便利である。
【００４３】
ところで、センタ側装置に格納されている施設等情報を、それぞれの施設やイベントを運営する者からセンタ側装置に対して登録されるように可能に構成ことが考えられる。そこで、請求項１５に記載のように、センタ側装置をネットワークを介して複数の端末に対して通信可能に接続し、センタ側装置に対して施設等情報を提供する者の端末から、施設等情報を登録・更新可能に構成するとよい。センタ側装置と各端末とを接続するネットワークとしては、例えばインターネットのような世界規模のネットワークが挙げられる。
【００４４】
このように構成された情報提供システムによれば、例えばインターネットを介して多くの施設やイベントの運営者からセンタ側装置に対して施設等情報が寄せられることで、施設やイベントの運営者にとっては簡便にして効果的な宣伝を行うことができ、ユーザにとっては多くの施設等情報の中から検索された有用な情報を取得できる。よって、施設やイベントの運営者及びユーザの双方にとって非常に有用なサービスを提供可能である。
【００４５】
ところで、請求項１６に記載のように、本発明の情報提供システムにおける車両側装置を、地図データに基づく経路案内を行ういわゆる車載用ナビゲーション装置で構成することが考えられる。このようにすることで、ナビゲーション装置が備える演算処理機能や、通信機能、情報表示機能、位置検出機能、地図データ等を利用して、本発明における車両側装置としての機能を実現可能である。また、センタ側装置から取得した施設等情報を、地図データや位置情報と関連付けてユーザに提示するといった応用も可能である。
【００４６】
一方、請求項１７に記載のように、本発明の情報提供システムにおけるユーザ側装置を携帯電話機で構成することが考えられる。このようにすることで、携帯電話機が備える演算処理機能や、通信機能、記憶機能等を利用して、本発明におけるユーザ側装置としての機能を実現可能である。また、携帯電話機は、所持するユーザが特定されている状態での使用を前提とすれば、当該ユーザの識別情報や属性情報等を記憶させておく媒体として好適である。
【００４７】
あるいは、請求項１８に記載のように、本発明の情報提供システムにおけるユーザ側装置を、無線通信により車両のドアの開錠／施錠及びエンジン動作のための認証を行う電子キーシステムに用いられる携帯機（いわゆるスマートキー）で構成することが考えられる。このようにすることで、電子キーシステムにおける携帯機が備える演算処理機能や、通信機能、記憶機能等を利用して、本発明におけるユーザ側装置としての機能を実現可能である。また、電子キーシステムにおける携帯機は車両を運転するユーザが必ず所持するものであるので、当該ユーザ（すなわち運転者）の識別情報や属性情報等を記憶させておく媒体として好適である。
【００４８】
つぎに、請求項１９に記載の車両側装置によれば、請求項１〜１８の何れかに記載の情報提供システムを構築することができ、これにより前述した効果を得ることができる。
つぎに、請求項２０に記載のセンタ側装置によれば、請求項１〜１８の何れかに記載の情報提供システムを構築することができ、これにより前述した効果を得ることができる。
【００４９】
つぎに、請求項２１に記載のユーザ側装置によれば、請求項１〜１８の何れかに記載の情報提供システムを構築することができ、これにより前述した効果を得ることができる。
つぎに、請求項２２に記載の車両側装置用プログラムによれば、請求項１に記載の情報提供システムにおける車両側装置としてコンピュータを機能させることができ、これにより前述した効果を得ることができる。
【００５０】
つぎに、請求項２３に記載の車両側装置用プログラムによれば、請求項２に記載の情報提供システムにおける車両側装置としてコンピュータを機能させることができ、これにより前述した効果を得ることができる。
【００５１】
つぎに、請求項２４に記載のセンタ側装置用プログラムによれば、請求項１に記載の情報提供システムにおけるセンタ側装置としてコンピュータを機能させることができ、これにより前述した効果を得ることができる。
【００５２】
つぎに、請求項２５に記載のセンタ側装置用プログラムによれば、請求項２に記載の情報提供システムにおけるセンタ側装置としてコンピュータを機能させることができ、これにより前述した効果を得ることができる。
【００５３】
つぎに、請求項２６に記載のユーザ側装置用プログラムによれば、請求項１に記載の情報提供システムにおけるユーザ側装置としてコンピュータを機能させることができ、これにより前述した効果を得ることができる。
【００５４】
つぎに、請求項２７に記載のユーザ側装置用プログラムによれば、請求項２に記載の情報提供システムにおけるユーザ側装置としてコンピュータを機能させることができ、これにより前述した効果を得ることができる。
【発明を実施するための最良の形態】
【００５５】
以下、本発明の一実施形態を図面に基づいて説明する。
［１．情報提供システムの構成の説明］
図１は、実施形態の情報提供システムの概略構成を示すブロック図である。この情報提供システムは、車両に搭載された車載用ナビゲーション装置１０と、当該車両を運転するユーザが携帯するユーザ側装置２０と、当該情報提供システムの運営者側の施設である情報センタに設置されたセンタ側装置３０とを備える。
【００５６】
つぎに、情報提供システムを構成する各装置１０，２０，３０の具体的な構成について説明する。
［１−１．車載用ナビゲーション装置１０の構成の説明］
車載用ナビゲーション装置１０は、目的地までの最適経路の探索及び走行案内等を行ういわゆるナビゲーションシステムを構成するものであり、特許請求の範囲における車両側装置として機能するように構成されている。この車載用ナビゲーション装置１０は、車両に搭載された状態で用いられるものであり、情報提供システムを利用する車両が複数存在する場合には、各車両に１つずつ搭載される。
【００５７】
そして、車載用ナビゲーション装置１０は、車載用ナビゲーション装置１０全体の動作を制御する制御部１１と、車両の現在位置を検出する位置検出部１２と、ユーザからの操作を受け付ける操作部１３と、各種データを記憶する記憶部１４と、各種情報を表示するための表示部１５及と、ユーザ側装置２０及びセンタ側装置３０との間で無線通信を行う通信部１６とを備える。
【００５８】
制御部１１は、ＣＰＵ，ＲＯＭ，ＲＡＭ，Ｉ／Ｏ及びこれらを接続するバスライン等からなる周知のコンピュータを中心に構成されており、ＲＯＭや外部記憶装置等に記憶されたプログラムに従って各種処理を実行する。例えば、ナビゲーション関係の処理としては、記憶部１４に格納されている地図データに基づいて表示部１５に地図を表示する地図表示処理、現在位置から目的地までの最適経路を探索する経路探索処理、探索した最適経路に沿って走行案内を行う走行案内処理等が挙げられる。
【００５９】
また、本発明における特徴的な処理として、ユーザ側装置２０からユーザ情報を取得して、これを基にセンタ側装置３０からユーザが利用可能な施設やイベント（以下、単に施設等と表記する）に関する施設等情報を取得し、ユーザに対して提示するための処理を実行する。この処理の詳細については後述する。
【００６０】
位置検出部１２は、ＧＰＳ（Global Positioning System）用の人工衛星からの送信電波をＧＰＳアンテナを介して受信し、車両の位置等を検出するＧＰＳ受信機と、車両に加えられる回転運動の角速度に応じた検出信号を出力するジャイロスコープと、車両の速度に応じた検出信号を出力する速度センサ等から構成されている。そして、ＧＰＳアンテナ及び各センサは、各々が性質の異なる誤差を有しているため、互いに補完しながら使用するように構成されている。
【００６１】
操作部１３は、ユーザからの操作を受け付けるためのものであり、表示部１５と一体に構成され表示画面上に一体に構成されるタッチパネル及び表示部１５の周囲に設けられたメカニカルなキースイッチ等が用いられる。
【００６２】
記憶部１４は、位置検出精度向上のためのいわゆるマップマッチング用データや、地図データ、経路案内用のデータ、車載用ナビゲーション装置１０の作動のためのプログラム等を記憶する。
【００６３】
表示部１５は、液晶ディスプレイ等の表示面を有するカラー表示装置である。表示部１５は、制御部１１からの映像信号の入力に応じて各種画像を表示面に表示可能である。例えば、車両が走行中においては、ナビゲーション画面として位置検出部１２にて検出した車両の現在位置と記憶部１４より入力された地図データとから特定した現在地を示すマーク、目的地までの誘導経路、名称、目印、各種ランドマークのシンボル等の付加データとが重ねて表示される。また、外部のセンタ側装置３０から取得した施設等情報等の種々の情報も表示できる。
【００６４】
通信部１６は、ユーザ側装置２０及びセンタ側装置３０との間で無線通信を行うものである。この通信部１６は、ユーザ側装置２０との無線通信においては、少なくとも当該車載用ナビゲーション装置１０が搭載された車両の室内全域をカバーする通信エリア（近距離無線通信可能なエリア）内で通信可能に構成されている。なお、ユーザ側装置２０との間の無線通信には、例えば、Bluetooth（登録商標）、無線ＬＡＮ、微弱無線通信等を用いることが考えられる。
【００６５】
一方、センタ側装置３０との無線通信においては、センタ側装置３０との間の通信を中継する外部の無線基地局等がカバーする通信エリア（ユーザ側装置２０との通信エリアより格段に広いエリア）において通信が可能なように構成されている。なお、センタ側装置３０との間の無線通信には、例えば、携帯電話網（携帯電話の通信網）を介した無線データ通信や、狭域通信システム（ＤＳＲＣ：Dedicated Short Range Communication）による無線データ通信等を用いることが考えられる。また、通信先や送受信するデータ量に応じて通信方式を適宜選択できるように、これら複数の通信方式を併用可能に構成してもよい。
【００６６】
［１−２．ユーザ側装置２０の構成の説明］
ユーザ側装置２０は、車両に搭乗するユーザが携帯可能な可搬型端末であり、本情報提供システムを利用するユーザにより所持される。このユーザ側装置２０は、ユーザ側装置２０全体の動作を制御する制御部２１と、ユーザ情報を記憶するユーザ情報記憶部２２と、ユーザからの操作を受け付ける操作部２３と、車載用ナビゲーション装置１０との間で無線通信を行う通信部２４とを備える。
【００６７】
制御部２１は、ＣＰＵ，ＲＯＭ，ＲＡＭ，Ｉ／Ｏ及びこれらを接続するバスライン等からなる周知のコンピュータを中心に構成されており、ＲＯＭ等に記憶されたプログラムに従って各種処理を実行する。
【００６８】
ユーザ情報記憶部２２は、各種情報を記憶可能に構成されており、当該ユーザ側装置２０を所持するユーザの認証等に関する情報（ユーザ情報）が予め記録されている。
ここで、ユーザ情報記憶部２２に記憶されているユーザ情報の具体的な内容について、図２に基づき説明する。図２は、ユーザ情報記憶部２２に記憶されているユーザ情報の構成の一例を示す説明図である。
【００６９】
ユーザ情報記憶部２２には、図２（ａ），（ｂ）のそれぞれに示す態様のユーザ情報の何れか一方が記憶されているが、何れの態様でユーザ情報をユーザ情報記憶部２２に記憶させるかはユーザの任意である。このうち、図２（ａ）に示すユーザ情報は、当該ユーザ側装置２０を所持するユーザに固有の識別情報であるユーザＩＤのみで構成されている。
【００７０】
一方、図２（ｂ）に示すユーザ情報は、ユーザに固有の識別情報であるユーザＩＤに加え、当該ユーザの各種属性を示す属性情報が付加されている。この属性情報には、ユーザの個人情報を示す「氏名」、「性別」、「年齢」、「住所」といった項目の情報や、ユーザの趣味や嗜好等の特徴を示す「属性Ａ」，「属性Ｂ」…といった項目に対応する各種情報が含まれている。ここで、「属性Ａ」、「属性Ｂ」…の各項目の情報が示す内容の具体例としては、ユーザの趣味、料理の嗜好（例えば和食、洋食、中華等）、衣服の嗜好（例えばカジュアル、トラッド等）、観光の嗜好（例えば美術館、寺社、動物園等）、既往歴（例えば循環器系、消化器系等）等が挙げられる。
【００７１】
図１の説明に戻る。操作部２３は、ユーザからの操作を受け付けるためのものであり、ユーザ側装置２０の本体に設けられたメカニカルなキースイッチ等が用いられる。
通信部２４は、車載用ナビゲーション装置１０との間で近距離無線通信を行うためのものであり、車載用ナビゲーション装置１０が搭載された車両の車内全域をカバーする通信エリアにおいて車載用ナビゲーション装置１０との間で無線通信が可能である。
【００７２】
なお、本実施形態の情報提供システムにおいて、ユーザ側装置２０は携帯電話機を流用して構成されている。
［１−３．センタ側装置３０の構成の説明］
センタ側装置３０は、当該情報提供システムを利用するユーザに関する情報、及びユーザに対して提供する施設等情報を統括管理するためのものであり、当該情報提供システムの運営者側の施設である情報センタに設置される。なお、センタ側装置３０は、複数の車載用ナビゲーション装置１０に対して、１つものが共通して用いられる。
【００７３】
このセンタ側装置３０は、センタ側装置３０全体の動作を制御する制御部３１と、ユーザの属性情報を記憶するデータベースであるユーザ登録データベース（ＤＢ）３２と、施設やイベントに関する施設等情報を記憶するデータベースである施設等情報データベース（ＤＢ）３３と、通信部３４とを備える。
【００７４】
制御部３１は、ＣＰＵ，ＲＯＭ，ＲＡＭ，Ｉ／Ｏ及びこれらを接続するバスライン等からなる周知のコンピュータを中心に構成されており、ＲＯＭや図示しない外部記憶装置等に記憶されたプログラムに従って各種処理を実行する。
【００７５】
ユーザ登録ＤＢ３２は、各種情報を記憶可能なデータベースである。このユーザ登録ＤＢ３２には、複数のユーザについて、個々のユーザごとの各種属性を示す属性情報や履歴情報が登録情報として記憶されている。各ユーザ用の属性情報及び履歴情報は、当該ユーザ個別の識別情報であるユーザＩＤに対応付けて登録されており、ユーザＩＤに基づいて当該ユーザの属性情報や履歴情報を特定可能となっている。ユーザ登録ＤＢ３２に記憶されている各ユーザ用の登録情報は、当該情報提供システムを利用する複数のユーザについて、外部端末を介した各ユーザからの申告により予め登録される。
【００７６】
施設等情報ＤＢ３３は、各種情報を記憶可能なデータベースである。この施設等情報ＤＢ３３には、複数の施設等について、個々の施設等ごとに施設等情報のレコードが記憶されている。施設等情報ＤＢ３３に記憶されている施設等情報は、インターネット１００を介してセンタ側装置３０と通信可能に接続された複数の情報提供者側端末４０（各施設等の運営者側の端末）から、センタ側装置３０に対して随時登録又は更新が可能となっている。
【００７７】
ここで、ユーザ登録ＤＢ３２に記憶されている各ユーザ用の登録情報、及び施設等情報ＤＢ３３に記憶されている施設等情報の具体的な内容について、図３に基づき説明する。図３（ａ）は、ユーザ登録ＤＢ３２に記憶されている各ユーザ用の登録情報の構成の一例を示す説明図であり、図３（ｂ）は、施設等情報ＤＢ３３に記憶されている施設等情報の構成の一例を示す説明図である。
【００７８】
図３（ａ）に示す各ユーザ用の登録情報は、各ユーザに固有の識別情報であるユーザＩＤ対応付けて、当該ユーザの各種属性を示す属性情報及び履歴情報が付加されている。
属性情報には、ユーザの個人情報を示す「氏名」、「年齢」、「住所」といった項目の情報や、ユーザの趣味や嗜好等の特徴を示す「属性Ａ」、「属性Ｂ」…といった項目に対応する各種情報が含まれている。この属性情報における各項目の内容については、ユーザ側装置２０のユーザ情報として記憶されている属性情報（図２（ｂ）参照）と同様のものである。
【００７９】
一方、履歴情報には、当該ユーザにおける施設等情報の閲覧履歴や実際に立ち寄った施設等の履歴を示す立ち寄り履歴を示す「履歴情報１」、「履歴情報２」といった項目に対応する各種情報が含まれている。なお、「履歴情報１，２…」の項目の内容については、後述の各種処理の説明に関連するものであるので、詳細な説明は後述する。
【００８０】
図３（ｂ）に示す各施設等情報は、個々の施設等ごとに固有の識別情報である施設等ＩＤに対応付けて、当該施設等に関する各種情報が付加されている。この施設等情報には、施設等に関する情報として「名称」、「カテゴリ」、「位置」、「利用時間」、「イベント情報」、「属性１」、「属性２」…、「見出し情報」、「詳細テキスト」、「詳細画像」等のといった項目に対応する各種情報が含まれている。
【００８１】
このうち、「名称」の項目は、当該施設等の名称を示す情報である。「カテゴリ」の項目は、当該施設等の属するカテゴリを示す情報である。このカテゴリの具体例としては、飲食店、衣料店、観光スポット、病院、公共施設、及びその他といったものが挙げられる。「位置」の項目は、当該施設等が所在する位置を示す情報である。「利用時間」の項目は、当該施設等を利用可能な時間を示す情報である。例えば、当該施設等情報が飲食店や販売店等に関するものであれば営業時間、イベントに関するものであれば、開催日程等が挙げられる。「イベント情報」の項目は、当該施設等で行われるイベントの具体的な内容を示す情報である。
【００８２】
「属性１，２…」の各項目は、当該施設の特徴や性質等の属性を示す情報であり、当該施設等とユーザの属性情報との適合を判断するための情報である。この「属性１，２…」…の項目には、例えば、「カテゴリ」の項目の内容を細分化する内容や、あるいは、上位の属性の内容を更に細分化する内容等が記述される。例えば、「カテゴリ」の項目が飲食店を示す場合、「属性１」の項目には飲食店を細分化した内容として、和食、洋食、中華料理、バー、喫茶店、及びその他といった内容等を記述することが考えられる。さらに、「属性１」の項目が和食を示す場合、「属性２」の項目には和食を細分化した内容として、会席料理、鍋料理、高級／お値打ち、静か／にぎやか、及びその他といった内容等を記述することが考えられる。
【００８３】
なお、この「属性１，２…」の項目には、上述のように、カテゴリ→属性１→属性２…の順に階層的に内容を細分化する構成の情報に限らず、当該施設等によるサービス対象となるユーザとの適合を図るための種々の情報を記述してもよい。
【００８４】
「見出し情報」の項目は、当該施設等情報をユーザに対して提示する際におけるヘッドライン（見出し）や表題等を構成する情報であり、後述の「詳細テキスト」や「詳細画像」に対して相対的にデータ量の少ない情報で構成される。一方、「詳細テキスト」の項目は、当該施設情報をユーザに対して提示する際における詳細な提示内容を構成する情報であり、文字データ等を中心に構成される。「詳細画像」の項目は、当該施設等情報をユーザに対して提示する際における詳細な提示内容を構成する情報であり、画像データを中心に構成される。
【００８５】
図１の説明に戻る。通信部３４は、複数の車載用ナビゲーション装置１０との間で携帯電話網を介した無線やＤＳＲＣ等によるデータ通信を行うためのものである。また、インターネットを介して、複数の情報提供者側端末４０（各施設等の運営者側の端末）との間でデータ通信を行う。
【００８６】
［１−４．特許請求の範囲との対応］
以上、情報提供システムの構成について説明したが、実施形態のおける情報提供システムの構成と、特許請求の範囲に記載した構成との対応は次のとおりである。
【００８７】
実施形態における車載用ナビゲーション装置１０が特許請求の範囲における車両側装置に相当する。このうち、位置検出部１２が位置検出手段に相当し、操作部１３が入力手段に相当する。また、実施形態におけるユーザ側装置２０のユーザ情報記憶部２２がユーザ情報記憶手段に相当する。また、実施形態におけるセンタ側装置３０のユーザ登録ＤＢ３２が属性情報記憶手段に相当し、施設等情報ＤＢ３３が施設等情報記憶手段に相当する。
【００８８】
なお、車載用ナビゲーション装置１０、ユーザ側装置２０、及びセンタ側装置３０が備える各制御部１１，２１，３１と、特許請求の範囲に記載の構成との対応については後述する。
【００８９】
［２．情報提供システムで実行される処理］
つぎに、情報提供システムを構成する車載用ナビゲーション装置１０、ユーザ側装置２０、及びセンタ側装置３０の各装置で実行される処理について、個々の実施形態ごとに説明する。
【００９０】
［２−１．第１実施形態］
まず、車載用ナビゲーション装置１０、ユーザ側装置２０、及びセンタ側装置３０の各装置で実行される処理の第１実施形態について説明する。
【００９１】
［２−１−１．施設等情報提供処理（第１実施形態）の説明］
図４は、車載用ナビゲーション装置１０、ユーザ側装置２０、及びセンタ側装置３０の各制御部１１，２１，３１が実行する「施設等情報提供処理（第１実施形態）」の手順を示すフローチャートである。なお、説明を簡潔にするために、以降においては各制御部１１，２１，３１が実行する処理を、便宜上、車載用ナビゲーション装置１０、ユーザ側装置２０及びセンタ側装置３０がそれぞれ行うものとして表記する。
【００９２】
この処理は、車載用ナビゲーション装置１０が、本処理を開始するための所定のトリガを検知することで開始される（Ｓ１０１ａ）。
本処理を開始するためのトリガとしては、まず、車載用ナビゲーション装置１０の通信エリア（近距離無線通信可能なエリア）内にユーザ側装置２０が入ったことを検知したときが挙げられる。例えば、車載用ナビゲーション装置１０は、近距離無線通信によってユーザ側装置２０に対する通信開始要求を所定間隔で随時発信しておく。そして、ユーザ側装置２０を所持するユーザがこの車両に搭乗することで車載用ナビゲーション装置１０との通信エリア内に入ると、車載用ナビゲーション装置１０から通信開始要求を受信したユーザ側装置２０は、この通信開始要求に対して応答する。車載用ナビゲーション装置１０は、ユーザ側装置２０から通信開始要求に対する応答を受信した場合、通信エリア内にユーザ側装置２０が入ったことを検知する。
【００９３】
また、本処理を開始するための別のトリガとしては、車載用ナビゲーション装置１０の操作部１３やユーザ側装置２０の操作部２３を介して、ユーザから処理開始のための指示が入力されたことを検知したときが挙げられる。なお、本実施形態では、処理を開始するための指示の入力は、ワンタッチで行えるように構成されている。
【００９４】
具体的には、図５（ａ）に示すように、本処理の開始を指示するための操作手段として、車載用ナビゲーション装置１０の表示部１５のディスプレイに表示されるタッチパネルスイッチ１３１や、ディスプレイ周辺に配置される機械式スイッチ１３２が設けられている。そして、これらのスイッチ１３１，１３２をユーザが押下するだけで本処理が開始されるように構成されている。
【００９５】
また、図５（ｂ）に示すように、本発明を開始するための操作手段として、ユーザ側装置２０（携帯電話機）のディスプレイに表示されるアイコン２３１や、ユーザ側装置２０の本体に配置される機械式スイッチ２３２が設けられている。そして、アイコン２３１をクリック（アイコン等にカーソルやポインタを合わせて決定ボタンを押下する操作を指す）したり、機械式スイッチ２３２を押下するだけで本処理が開始されるように構成されている。この場合、ユーザ側装置２０においてアイコン２３１や機械式スイッチ２３２が操作されることで、ユーザ側装置２０から車載用ナビゲーション装置１０に対して処理を開始する旨の指示が送信され、これをトリガとして本処理を開始するように構成されている。
【００９６】
図４の説明に戻る。車載用ナビゲーション装置１０の処理におけるＳ１０１ａで開始トリガを検知した後、車載用ナビゲーション装置１０は、通信部１６を介してユーザ側装置２０に対してユーザ情報の送信を指示する（Ｓ１０２ａ）。
【００９７】
ユーザ側装置２０は、Ｓ１０２ａで車載用ナビゲーション装置１０から送信されたユーザ情報の送信指示を受信する（Ｓ２０１ａ）。そして、ユーザ情報記憶部２２に記憶されているユーザ情報（図２参照）を、通信部２４を介して車載用ナビゲーション装置１０へ送信する（Ｓ２０２ａ）。なお、ここで送信するユーザ情報は、ユーザＩＤのみを含むユーザ情報（図２（ａ）参照）ものか、ユーザＩＤとユーザの属性情報とを含むもの（図２（ｂ）参照）の何れかである。
【００９８】
車載用ナビゲーション装置１０は、Ｓ２０２ａでユーザ側装置２０から送信されたユーザ情報を受信する（Ｓ１０３ａ）。つづいて、位置検出部１２からの検出信号に基づいて、車両の現在位置を取得する（Ｓ１０４ａ）。そして、ユーザ側装置２０から受信したユーザ情報とＳ１０４ａで取得した現在位置を示す位置情報とを、通信部１６を介してセンタ側装置３０へ送信する（Ｓ１０５ａ）。
【００９９】
センタ側装置３０は、Ｓ１０５ａで車載用ナビゲーション装置１０から送信されたユーザ情報及び位置情報を受信する（Ｓ３０１ａ）。そして、施設等情報ＤＢ３３に記憶されている施設等情報（図３（ｂ）参照）の中から、受信した位置情報が示す車両の現在位置から所定範囲内に所在する施設等に対応する施設等情報を抽出する（Ｓ３０２ａ）。具体的には、各施設等情報が示す当該施設等の所在地に基づき、車両の現在地から例えば半径○ｋｍ以内に所在する施設等に該当する施設等情報を検索する。
【０１００】
つぎに、受信したユーザ情報に当該ユーザの属性情報が含まれているか否かを判定する（Ｓ３０３ａ）。ここで、ユーザ情報に属性情報が含まれていないと判定した場合（Ｓ３０３ａ：ＮＯ）、受信したユーザ情報に含まれるユーザＩＤに基づいてユーザ登録ＤＢ３２から当該ユーザに対応する属性情報を読み出す（Ｓ３０４ａ）。そして、Ｓ３０２ａで抽出した施設等情報の中から、読み出した属性情報に適合する施設等情報を抽出する（Ｓ３０５ａ）。具体的には、施設等情報における「属性１，２…」の項目の内容とユーザの属性情報における各項目の内容とを比較し、内容が一致する項目がある施設等情報をユーザの属性情報に適合するものとして抽出する。
【０１０１】
一方、Ｓ３０３ａでユーザ情報に属性情報が含まれていると判定した場合（Ｓ３０３ａ：ＹＥＳ）、Ｓ３０２ａで抽出した施設等情報の中から、ユーザ情報における属性情報に適合する属性情報を抽出する（Ｓ３０５ａ）。
【０１０２】
そして、Ｓ３０６ａでは、Ｓ３０５ａにおいて抽出した施設等情報を、通信部３４を介して要求元である車載用ナビゲーション装置１０へ送信する。
車載用ナビゲーション装置１０は、Ｓ３０６ａでセンタ側装置３０から送信された施設等情報を受信する（Ｓ１０６ａ）。そして、受信した施設等情報に基づいて、表示部１５に当該施設等情報の内容を表示させる（Ｓ１０７ａ）。具体的には、施設等情報に含まれる見出し情報や、詳細テキスト、詳細画像等の各種データに基づく情報を表示したり、名称、カテゴリ、位置、利用時間、イベント情報、属性１，２…等の各種情報を表示するようにしてもよい。また、施設等情報の位置情報に基づいて、当該施設等の所在地を表示部１５に表示した地図画像上に重ねて表示したり、施設等情報そのものを地図画像上における当該施設等の所在地に重ねて表示させてもよい。
【０１０３】
［２−１−２．効果］
「施設等情報提供処理（第１実施形態）」を実行する情報提供システムによれば、次のような効果を奏する。
【０１０４】
（１）センタ側装置３０に対して施設等情報の送信を要求する際に、ユーザ自身がＩＤ番号やパスワード等を入力する必要がないため、簡単に施設等情報を取得できて便利である。
【０１０５】
（２）車載用ナビゲーション装置１０に対してユーザが手動でユーザＩＤを入力するといった構成を廃しているので、ユーザ側装置２０を持たない、すなわちユーザではない第三者が他人のユーザＩＤを不正に入力してセンタ側装置３０へアクセスすることは困難であり、セキュリティの面も考慮した構成となっている。
【０１０６】
（３）センタ側装置３０からユーザに対して提供される施設等情報は、ユーザが搭乗する車両の現在位置及び当該ユーザの属性情報に適合するものとして検索されたものである。これにより、ユーザは自身の事情に適合した有用な情報を取得できる。
【０１０７】
（４）ユーザ側装置２０にユーザＩＤのみを記憶させておく態様でも、ユーザＩＤと属性情報とを対応付けて記憶させておく態様でも、何れの態様においても、ユーザの属性に適合した施設等情報を検索可能であり、便利である。
【０１０８】
（５）車載用ナビゲーション装置１０とユーザ側装置２０とが互いに通信エリア圏内に入ったときをトリガにして本処理を開始することで、ユーザが車両に搭乗するだけで施設等情報を効率よく取得することができる。
【０１０９】
（６）本処理を開始させる指示を、車載用ナビゲーション装置１０又はユーザ側装置２０におけるワンプッシュ操作にて入力可能にしたことで、ユーザの任意のタイミングで簡単に施設等情報を取得することができるため便利である。
【０１１０】
［２−１−３．特許請求の範囲との対応］
上記第１実施形態における車載用ナビゲーション装置１０、ユーザ側装置２０、センタ側装置３０の各制御部１１，２１，３１が実行する処理と、特許請求の範囲に記載した構成との対応は、次のとおりである。
【０１１１】
「施設等情報提供処理（第１実施形態）」（図４参照）におけるＳ２０２ａの処理を実行するユーザ側装置２０の制御部２１が、ユーザ側送信手段に相当する。
また、Ｓ１０５ａの処理を実行する車載用ナビゲーション装置１０の制御部１１が、車両側送信手段に相当し、Ｓ１０７ａの処理を実行する車載用ナビゲーション装置１０の制御部１１が、情報提示手段に相当する。
【０１１２】
また、Ｓ３０２ａ〜Ｓ３０５ａの処理を実行するセンタ側装置３０の制御部３１が、検索手段に相当し、Ｓ３０６ａの処理を実行するセンタ側装置３０の制御部３１が、センタ側送信手段に相当する。
【０１１３】
［２−２．第２実施形態］
つぎに、車載用ナビゲーション装置１０、ユーザ側装置２０、及びセンタ側装置３０の各装置で実行される処理の第２実施形態について説明する。
【０１１４】
［２−２−１．施設等情報提供処理（第２実施形態）の説明］
図６は、車載用ナビゲーション装置１０、ユーザ側装置２０、及びセンタ側装置３０の各装置が実行する「施設等情報提供処理（第２実施形態）」の手順を示すフローチャートである。
【０１１５】
この「施設等情報提供処理（第２実施形態）」は、第１実施形態（図４参照）のものと比較すると、以下の点が異なる。まず、車載用ナビゲーション装置１０の処理においてはＳ１０２ｂ，Ｓ１０３ｂの処理が追加され、図４のＳ１０５ａに代えてＳ１０７ｂの処理を行う。また、センタ側装置３０の処理においては、図４のＳ３０１ａ，Ｓ３０２ａの処理に代えて、Ｓ３０１ｂ，Ｓ３０２ｂの処理を行う。なお、その他の各処理内容は、図４における各処理内容と同様であるため、これらの処理内容についての説明は省略する。
【０１１６】
まず、車載用ナビゲーション装置１０の処理におけるＳ１０１ｂでは、図４のＳ１０１ａと同様に処理を開始するためのトリガを検出する。そして、Ｓ１０１ｂで開始トリガを検知した後、車載用ナビゲーション装置１０は、ユーザから施設等情報の検索範囲の指定を受け付け、これに応じてユーザによって検索範囲が指定されたか否かを判定する（Ｓ１０２ｂ）。なお、ユーザが指定可能な検索範囲としては、例えば「現在位置から半径○ｋｍ以内」といった距離的検索範囲や、「現在位置から○分以内に到達可能」といった時間的検索範囲等が挙げられる。また、検索範囲の指定は、車載用ナビゲーション装置１０の操作部１３を介して入力したり、ユーザ側装置２０の操作部２３を介して入力するように構成すればよい。後者の場合、指定された検索範囲は、ユーザ側装置２０から車載用ナビゲーション装置１０へ無線通信により送信される。
【０１１７】
Ｓ１０２ｂにおいて、ユーザが検索範囲を指定しなかったと判定した場合（Ｓ１０２ｂ：ＮＯ）、所定（デフォルト）の検索範囲に設定し（Ｓ１０３ｂ）、Ｓ１０４ｂへ移行する。一方、ユーザが検索範囲を指定したと判定した場合（Ｓ１０２ｂ：ＹＥＳ）、Ｓ１０４ｂへ移行する。
【０１１８】
Ｓ１０４ｂ，Ｓ２０１ｂ，Ｓ２０２ｂ，Ｓ１０５ｂ，Ｓ１０６ｂの各処理は、図４のＳ１０２ａ，Ｓ２０１ａ，Ｓ２０２ａ，Ｓ１０３ａ，Ｓ１０４ａの各処理と同様である。
Ｓ１０７ｂでは、ユーザ側装置２０から受信したユーザ情報と、Ｓ１０６ｂで取得した現在位置を示す位置情報と、検索範囲（ユーザからの指定又はデフォルトの設定）を示す情報とを、通信部１６を介してセンタ側装置３０へ送信する。
【０１１９】
センタ側装置３０は、Ｓ１０７ｂで車載用ナビゲーション装置１０から送信されたユーザ情報、位置情報、及び検索範囲を受信する（Ｓ３０１ｂ）。そして、施設等情報ＤＢ３３に記憶されている施設等情報（図３（ｂ）参照）の中から、受信した位置情報が示す車両の現在位置を基準として、受信した検索範囲内に所在する施設等に対応する施設等情報を抽出する（Ｓ３０２ｂ）。例えば、検索範囲として「現在位置から半径○ｋｍ以内」という条件が設定されている場合、各施設の位置情報を基に、車両の現在位置を中心とした半径○ｋｍ以内に所在する施設等に該当する施設等情報を検索する。また、検索範囲として「現在位置から○分以内に到達可能」という条件が設定されている場合、車両の現在位置と所定の標準速度とから算出される移動時間を基に、指定された時間内に到達可能な施設等に該当する施設等情報を検索する。
【０１２０】
Ｓ３０３ｂ〜Ｓ３０６ｂ，Ｓ１０８ｂ，Ｓ１０９ｂの各処理は、図４のＳ３０３ａ〜Ｓ３０６ａ，Ｓ１０６ａ，１０７ａの各処理と同様である。
［２−２−２．効果］
「施設等情報提供処理（第２実施形態）」を実行する情報提供システムによれば、第１実施形態の効果に加え、更に次のような効果を奏する。
【０１２１】
（７）車両の現在位置を基準とした距離的検索範囲や時間的検索範囲をユーザが任意に指定可能とすることで、よりユーザの意図に沿った情報提供を行うことができる。
［２−２−３．特許請求の範囲との対応］
上記第２実施形態における車載用ナビゲーション装置１０、ユーザ側装置２０、センタ側装置３０の各制御部１１，２１，３１が実行する処理と、特許請求の範囲に記載した構成との対応は、次のとおりである。
【０１２２】
「施設等情報提供処理（第２実施形態）」（図６参照）におけるＳ２０２ｂの処理を実行するユーザ側装置２０の制御部２１が、ユーザ側送信手段に相当する。
また、Ｓ１０７ｂの処理を実行する車載用ナビゲーション装置１０の制御部１１が、車両側送信手段に相当し、Ｓ１０９ｂの処理を実行する車載用ナビゲーション装置１０の制御部１１が、情報提示手段に相当する。
【０１２３】
また、Ｓ３０２ｂ〜Ｓ３０５ｂの処理を実行するセンタ側装置３０の制御部３１が、検索手段に相当し、Ｓ３０６ｂの処理を実行するセンタ側装置３０の制御部３１が、センタ側送信手段に相当する。
【０１２４】
［２−３．第３実施形態］
つぎに、車載用ナビゲーション装置１０、ユーザ側装置２０、及びセンタ側装置３０の各装置で実行される処理の第３実施形態について説明する。
【０１２５】
［２−３−１．施設等情報提供処理（第３実施形態）の説明］
図７は、車載用ナビゲーション装置１０、ユーザ側装置２０、及びセンタ側装置３０の各装置が実行する「施設等情報提供処理（第３実施形態）」の手順を示すフローチャートである。
【０１２６】
この「施設等情報提供処理（第３実施形態）」は、第１実施形態（図４参照）のものと比較すると、以下の点が異なる。まず、車載用ナビゲーション装置１０の処理においてはＳ１０２ｃ，Ｓ１０３ｃの処理が追加され、図４のＳ１０５ａに代えてＳ１０７ｃの処理を行う。また、センタ側装置３０の処理においては、図４のＳ３０１ａ，Ｓ３０５ａの処理に代えて、Ｓ３０１ｃ，Ｓ３０５ｃの処理を行う。なお、その他の各処理内容は、図４における各処理内容と同様であるため、これらの処理内容についての説明は省略する。
【０１２７】
まず、車載用ナビゲーション装置１０の処理におけるＳ１０１ｃでは、図４のＳ１０１ａと同様に処理を開始するためのトリガを検出する。そして、Ｓ１０１ｃで開始トリガを検知した後、車載用ナビゲーション装置１０は、ユーザから検索対象となるカテゴリの指定を受け付け、これに応じてユーザによってカテゴリが指定されたか否かを判定する（Ｓ１０２ｃ）。なお、ユーザが指定するカテゴリとしては、例えば、飲食店、衣料店、観光スポット、病院、公共施設、及びその他といった施設等の分類を示すものが挙げられる。また、カテゴリの指定は、車載用ナビゲーション装置１０の操作部１３を介して入力したり、ユーザ側装置２０の操作部２３を介して入力するように構成すればよい。後者の場合、指定されたカテゴリは、ユーザ側装置２０から車載用ナビゲーション装置１０へ無線通信により送信される。
【０１２８】
Ｓ１０２ｃにおいて、ユーザがカテゴリを指定しなかったと判定した場合（Ｓ１０２ｃ：ＮＯ）、カテゴリを「指定なし」に設定し（Ｓ１０３ｃ）、Ｓ１０４ｃへ移行する。一方、ユーザがカテゴリを指定したと判定した場合（Ｓ１０２ｃ：ＹＥＳ）、Ｓ１０４ｃへ移行する。
【０１２９】
Ｓ１０４ｃ，Ｓ２０１ｃ，Ｓ２０２ｃ，Ｓ１０５ｃ，Ｓ１０６ｃの各処理は、図４のＳ１０２ａ，Ｓ２０１ａ，Ｓ２０２ａ，Ｓ１０３ａ，Ｓ１０４ａの各処理と同様である。
Ｓ１０７ｃでは、ユーザ側装置２０から受信したユーザ情報と、Ｓ１０６ｃで取得した現在位置を示す位置情報と、カテゴリ（ユーザからの指定又は「指定なし」の設定）を示す情報とを、通信部１６を介してセンタ側装置３０へ送信する。
【０１３０】
センタ側装置３０は、Ｓ１０７ｃで車載用ナビゲーション装置１０から送信されたユーザ情報、位置情報、及びカテゴリ情報を受信する（Ｓ３０１ｃ）。Ｓ３０２ｃ〜Ｓ３０４ｃの各処理は、図４のＳ３０２ａ〜Ｓ３０４ａの各処理と同様である。
【０１３１】
Ｓ３０５ｃでは、Ｓ３０２ｃで抽出した施設等情報の中から、当該ユーザの属性情報及び受信したカテゴリ情報に適合する属性情報を抽出する（Ｓ３０５ｃ）。なお、カテゴリが適合するか否かについては、施設等情報（図３（ｂ）参照）における「カテゴリ」の項目の内容と、受信したカテゴリ情報の内容とを比較し、内容が一致する施設等情報をユーザが指定したカテゴリに適合するものとして抽出する。また、受信したカテゴリ情報が、「指定なし」を示すものであれば、全てのカテゴリの施設等情報を適合するものと判断すればよい。
【０１３２】
Ｓ３０６ｃ，Ｓ１０８ｃ，Ｓ１０９ｃの各処理は、図４のＳ３０６ｃ，Ｓ１０６ｃ，１０７ｃの各処理と同様である。
［２−３−２．効果］
「施設等情報提供処理（第３実施形態）」を実行する情報提供システムによれば、第１実施形態の効果に加え、更に次のような効果を奏する。
【０１３３】
（８）検索する施設やイベントのカテゴリをユーザにより指定可能とすることで、よりユーザの意図に沿った情報提供を行うことができる。
［２−３−３．特許請求の範囲との対応］
上記第３実施形態における車載用ナビゲーション装置１０、ユーザ側装置２０、センタ側装置３０の各制御部１１，２１，３１が実行する処理と、特許請求の範囲に記載した構成との対応は、次のとおりである。
【０１３４】
「施設等情報提供処理（第３実施形態）」（図７参照）におけるＳ２０２ｃの処理を実行するユーザ側装置２０の制御部２１が、ユーザ側送信手段に相当する。
また、Ｓ１０７ｃの処理を実行する車載用ナビゲーション装置１０の制御部１１が、車両側送信手段に相当し、Ｓ１０９ｃの処理を実行する車載用ナビゲーション装置１０の制御部１１が、情報提示手段に相当する。
【０１３５】
また、Ｓ３０２ｃ〜Ｓ３０５ｃの処理を実行するセンタ側装置３０の制御部３１が、検索手段に相当し、Ｓ３０６ｃの処理を実行するセンタ側装置３０の制御部３１が、センタ側送信手段に相当する。
【０１３６】
［２−４．第４実施形態］
つぎに、車載用ナビゲーション装置１０、ユーザ側装置２０、及びセンタ側装置３０の各装置で実行される処理の第４実施形態について説明する。
【０１３７】
［２−４−１．施設等情報提供処理（第４実施形態）の説明］
図８は、車載用ナビゲーション装置１０、ユーザ側装置２０、及びセンタ側装置３０の各装置が実行する「施設等情報提供処理（第４実施形態）」の手順を示すフローチャートである。
【０１３８】
この「施設等情報提供処理（第４実施形態）」は、第１実施形態（図４参照）のものと比較すると、以下の点が異なる。まず、車載用ナビゲーション装置１０の処理においては、Ｓ１０３ｄ〜Ｓ１０７ｄの処理が追加されている。また、センタ側装置３０の処理においては、Ｓ３０１ｄ〜Ｓ３０３ｄの処理が追加されている。なお、図８のフローチャートにおいては、図４のフローチャートから新たに追加された処理を中心に図示しており、図４のフローチャートと共通の処理の大半については図示を省略している。図示をしていない部分の処理内容の説明については省略する。
【０１３９】
まず、車載用ナビゲーション装置１０の処理におけるＳ１０１ｄでは、図４のＳ１０１ａと同様に処理を開始するためのトリガを検出する。そして、Ｓ１０１ｄで開始トリガを検知した後、車載用ナビゲーション装置１０は、ユーザの属性情報と施設等情報とのマッチングを行うか否かをユーザから受け付け、それに対する回答からユーザがマッチング希望しているか否かを判定する（Ｓ１０３ｄ）。属性情報と施設等情報とのマッチングの要否を指定するための指示は、車載用ナビゲーション装置１０の操作部１３を介して入力したり、ユーザ側装置２０の操作部２３を介して入力するように構成すればよい。後者の場合、入力された指示は、ユーザ側装置２０から車載用ナビゲーション装置１０へ無線通信により送信される。
【０１４０】
Ｓ１０３ｄで、ユーザが属性情報とのマッチングを希望していると判定した場合（Ｓ１０３：ＹＥＳ）、図４のＳ１０２ａと同様に、通信部１６を介してユーザ側装置２０に対してユーザ情報の送信を指示する（Ｓ１０２ｄ）。これ以降は、図４のフローチャートにおけるＳ１０３ａ以降の処理（ユーザ側装置２０及びセンタ側装置３０の処理も含む）と同様の処理が実行される。
【０１４１】
一方、Ｓ１０３ｄで、ユーザが属性情報とのマッチングを希望していないと判定した場合（Ｓ１０３ｄ：ＮＯ）、位置検出部１２からの検出信号に基づいて、車両の現在位置を取得する（Ｓ１０４ｄ）。そして、この取得した現在位置を示す位置情報を、通信部１６を介してセンタ側装置３０へ送信する（Ｓ１０５ｄ）。
【０１４２】
センタ側装置３０は、Ｓ１０５ｄで車載用ナビゲーション装置１０から送信された位置情報を受信する（Ｓ３０１ｄ）。そして、施設等情報ＤＢ３３に記憶されている施設等情報（図３（ｂ）参照）の中から、受信した位置情報が示す車両の現在位置から所定範囲内に所在する施設等に対応する施設等情報を抽出する（Ｓ３０２ｄ）。具体的には、各施設等情報が示す当該施設等の所在地に基づき、車両の現在地から例えば半径○ｋｍ以内に所在する施設等に該当する施設等情報を検索する。
【０１４３】
そして、Ｓ３０２ａにおいて抽出した施設等情報を、通信部３４を介して要求元である車載用ナビゲーション装置１０へ送信する（Ｓ３０３ｄ）。
車載用ナビゲーション装置１０は、Ｓ３０３ｄでセンタ側装置３０から送信された施設等情報を受信する（Ｓ１０６ｄ）。そして、受信した施設等情報に基づいて、表示部１５に当該施設等情報の内容を表示させる（Ｓ１０７ｄ）。
【０１４４】
［２−４−２．効果］
「施設等情報提供処理（第４実施形態）」を実行する情報提供システムによれば、第１実施形態の効果に加え、更に次のような効果を奏する。
【０１４５】
（９）ユーザの属性情報とのマッチングを行わないで施設等情報の検索を行う態様をユーザ自身が選択可能であり、その時々のユーザの事情に応じた情報提供を行うことができる。例えば、旅行先等で目新しい情報を多く入手したいと考えているようなケースにおいては、ユーザの属性情報に基づいて提供する情報を絞り込むよりは、むしろ属性情報に関係なく、より多くの情報を提供することができる。
【０１４６】
［２−４−３．特許請求の範囲との対応］
上記第４実施形態における車載用ナビゲーション装置１０、ユーザ側装置２０、センタ側装置３０の各制御部１１，２１，３１が実行する処理と、特許請求の範囲に記載した構成との対応は、次のとおりである。
【０１４７】
「施設等情報提供処理（第４実施形態）」（図８参照）におけるＳ１０５ｄの処理を実行する車載用ナビゲーション装置１０の制御部１１が、車両側送信手段に相当し、Ｓ１０７ｄの処理を実行する車載用ナビゲーション装置１０の制御部１１が、情報提示手段に相当する。
【０１４８】
また、Ｓ３０２ｄの処理を実行するセンタ側装置３０の制御部３１が、検索手段に相当し、Ｓ３０３ｄの処理を実行するセンタ側装置３０の制御部３１が、センタ側送信手段に相当する。
【０１４９】
［２−５．第５実施形態］
つぎに、車載用ナビゲーション装置１０、ユーザ側装置２０、及びセンタ側装置３０の各装置で実行される処理の第５実施形態について説明する。
【０１５０】
［２−５−１．施設等情報提供処理（第５実施形態）の説明］
図９は、車載用ナビゲーション装置１０、ユーザ側装置２０、及びセンタ側装置３０の各装置が実行する「施設等情報提供処理（第５実施形態）」の手順を示すフローチャートである。
【０１５１】
この「施設等情報提供処理（第５実施形態）」は、第１実施形態（図４参照）のものと比較すると、以下の点が異なる。まず、車載用ナビゲーション装置１０の処理においては、図４のＳ１０６ａ，Ｓ１０７ａの処理に代えてＳ１０６ｅ，Ｓ１０７ｅの処理を行い、さらに、Ｓ１０８ｅ〜Ｓ１１１ｅの処理が追加されている。また、センタ側装置３０の処理においては、図４のＳ３０６ａの処理に代えてＳ３０６ｅの処理を行い、さらに、Ｓ３０７ｅの処理が追加されている。なお、その他の各処理内容は、図４における各処理内容と同様であるため、これらの処理内容についての説明は省略する。
【０１５２】
まず、車載用ナビゲーション装置１０の処理におけるＳ１０１ｅ〜Ｓ１０５ｅ、ユーザ側装置２０の処理におけるＳ２０１ｅ，Ｓ２０２ｅ、及びセンタ側装置３０の処理におけるＳ３０１ｅ〜Ｓ３０５ｅの各処理については、図４のＳ１０１ａ〜Ｓ１０５ａ、Ｓ２０１ａ，Ｓ２０２ａ、Ｓ３０１ａ〜Ｓ３０５ａの各処理と同様である。
【０１５３】
Ｓ３０６ｅでは、センタ側装置３０は、Ｓ３０５ａにおいて抽出した各施設等情報の中から、少なくとも「施設等ＩＤ」及び「見出し情報」の項目を含み「詳細テキスト」及び「詳細画像」の項目を含まない、相対的に情報量の少ない一部情報（以下、少量情報）を抽出し、これを要求元の車載用ナビゲーション装置１０へ送信する。
【０１５４】
車載用ナビゲーション装置１０は、Ｓ３０６ｅでセンタ側装置３０から送信された施設等情報（少量情報）を受信する（Ｓ１０６ｅ）。そして、受信した少量情報に基づいて、表示部１５に当該少量情報に含まれる見出し情報の内容を表示させる（Ｓ１０７ｅ）。
【０１５５】
つぎに、表示部１５に表示した見出し情報の中から、何れかの見出し情報に対応する詳細な情報を表示するための指示がユーザによって入力されたか否かを判定する（Ｓ１０８ｅ）。ここで、ある見出し情報について、詳細な情報を表示するための指示が入力されたと判定した場合（Ｓ１０８ｅ：ＹＥＳ）、当該見出し情報に対応する施設等ＩＤに基づき、当該見出し情報が示す施設等に関する詳細な情報の送信をセンタ側装置３０へ要求する（Ｓ１０９ｅ）。
【０１５６】
センタ側装置３０は、Ｓ１０９ｅで車載用ナビゲーション装置１０から要求のあった施設等ＩＤに基づき、この施設等ＩＤに対応する施設等情報の中から、少なくとも「詳細テキスト」及び「詳細画像」の項目を含む、相対的に情報量の多い一部情報（以下、多量情報）を抽出し、これを要求元の車載用ナビゲーション装置１０へ送信する（Ｓ３０７ｅ）。
【０１５７】
車載用ナビゲーション装置１０は、Ｓ３０７ｅでセンタ側装置３０から送信された施設等情報（多量情報）を受信する（Ｓ１１０ｅ）。そして、受信した多量情報に基づいて、表示部１５に当該多量情報に含まれる詳細テキストや詳細画像の内容を表示させる（Ｓ１１１ｅ）。一方、Ｓ１０８ｅで、詳細な情報を表示するための指示が入力されなかった判定した場合（Ｓ１０８ｅ：ＮＯ）、本処理を終了する。
【０１５８】
ここで、上述の「施設等情報提供処理（第５実施形態）」における施設等情報の表示態様の具体例について、図１０に基づき説明する。図１０（ａ）は、上述のＳ１０７ｅにおける施設等情報（見出し情報）の表示態様の一例を模式的に示す説明図であり、図１０（ｂ）は、上述のＳ１１１ｅにおける施設等情報（詳細テキスト、詳細画像）の表示態様の一例を模式的に示す説明図である。
【０１５９】
図１０（ａ）に示すように、車載用ナビゲーション装置１０の表示部１５には、車両の現在位置を示す現在位置マークを中心とした地図上に、複数の見出し情報Ａ〜Ｅが、それぞれの施設等の所在地に対応した位置に表示されている。表示部１５に表示された各見出し情報Ａ〜Ｅは、それ自体がタッチパネルと連動したアイコンとして機能するものであり、ユーザがディスプレイ上で所望の見出し情報を押下することで、当該見出し情報に対応する詳細な情報の表示させるための指示を入力できる。
【０１６０】
図１０（ａ）に示す状況においてユーザが見出し情報Ａのアイコンを押下した場合、図１０（ｂ）に示すように、見出し情報Ａに対応する詳細テキスト及び詳細画像が表示部１５の地図画像上に表示される。
【０１６１】
［２−５−２．効果］
「施設等情報提供処理（第５実施形態）」を実行する情報提供システムによれば、第１実施形態の効果に加え、更に次のような効果を奏する。
【０１６２】
（１０）表示された複数件の見出し情報のうち、ユーザが興味を示した施設等についてのみ詳細な情報が表示されるので、表示される情報の混雑を回避でき、ユーザが施設等情報の内容を確認しやすくなる。
【０１６３】
（１１）ユーザが興味を示さなかった施設等については、見出し情報を含む少量情報の送受信が行われるのみで、詳細テキストや詳細画像を含む多量情報の送受信は行われないため、その分の通信コストを低減することができる。
【０１６４】
［２−５−３．特許請求の範囲との対応］
上記第５実施形態における車載用ナビゲーション装置１０、ユーザ側装置２０、センタ側装置３０の各制御部１１，２１，３１が実行する処理と、特許請求の範囲に記載した構成との対応は、次のとおりである。
【０１６５】
「施設等情報提供処理（第５実施形態）」（図９参照）におけるＳ１０５ｅの処理を実行する車載用ナビゲーション装置１０の制御部１１が、車両側送信手段に相当し、Ｓ１０７ｅ，Ｓ１１１ｅの処理を実行する車載用ナビゲーション装置１０の制御部１１が、情報提示手段に相当する。
【０１６６】
また、Ｓ３０２ｅ〜Ｓ３０５ｅの処理を実行するセンタ側装置３０の制御部３１が、検索手段に相当し、Ｓ３０６ｅ，Ｓ３０７ｅの処理を実行するセンタ側装置３０の制御部３１が、センタ側送信手段に相当する。
【０１６７】
［２−５−４．第５実施形態の変形例］
ここで、第５実施形態の変形例について図１１に基づいて説明する。図１１は、第５実施形態の変形例である情報提供システムの概略構成、及び当該情報提供システムが実行する処理の手順を模式的に示す説明図である。
【０１６８】
図１１に示す第５実施形態の変形例においては、ユーザに対して施設等情報を提供するための施設として、統括的な役割を果たす中央情報センタと地域ごとの詳細な情報の提供に特化した地域情報センタがあり、それぞれにセンタ側装置３０ａ，３０ｂを備えることを特徴とする。なお、センタ側装置３０ａ，３０ｂの構成については、図１に示すセンタ側装置３０の構成と同様である。以下、上述の第５実施形態と相違する部分を中心に説明し、共通する部分については同一の符号を用いるとともに説明を省略する。
【０１６９】
中央情報センタに設置されたセンタ側装置３０ａの施設等情報ＤＢ３３には、図３（ｂ）に示す施設等情報の内容から「詳細テキスト」及び「詳細画像」の項目を除いた、相対的に情報量の少ない少量情報が施設等情報として格納されている。また、センタ側装置３０ａは、携帯電話網を介した無線データ通信により各車両に搭載された車載用ナビゲーション装置１０との間で通信を行うように構成されている。
【０１７０】
一方、地域情報センタに設置されたセンタ側装置３０ｂの施設等情報ＤＢ３３には、図３（ｂ）に示す施設等情報における「詳細テキスト」及び「詳細画像」の項目を含む相対的に情報量の多い多量情報が施設等情報として格納されている。また、センタ側装置３０ｂは、狭域通信システム（ＤＳＲＣ）を介した無線データ通信により各車両に搭載された車載用ナビゲーション装置１０と通信を行うように構成されている。
【０１７１】
なお、センタ側装置３０ａ，３０ｂは、適宜な通信回線を介して互いに通信可能に接続されている。また、中央情報センタに設置されたセンタ側装置３０ａが、特許請求の範囲における第１のセンタ側装置に相当し、地域情報センタに設置されたセンタ側装置３０ｂが、第２のセンタ側装置に相当する。
【０１７２】
つづいて、第５実施形態の変形例である情報提供システムが実行する処理の手順を図１１に基づいて説明する。
まず、車載用ナビゲーション装置１０は、図９のＳ１０１ｅ〜Ｓ１０４ｅの処理と同様にして取得したユーザ情報と位置情報とを、携帯電話網を介した無線データ通信によってセンタ側装置３０ａへ送信する（Ｓ１０１ｆ）。
【０１７３】
センタ側装置３０ａは、Ｓ１０１ｆで車載用ナビゲーション装置１０から送信されたユーザ情報及び位置情報に基づき、図９のＳ３０２ｅ〜Ｓ３０５ｅの処理と同様にして、ユーザの属性情報及び位置情報に適合する施設等情報（少量情報）を施設等情報ＤＢ３３から抽出し、この抽出した施設等情報（少量情報）を、携帯電話網を介した無線データ通信によって要求元の車載用ナビゲーション装置１０へ送信する（Ｓ３０１ｆ）。
【０１７４】
車載用ナビゲーション装置１０は、センタ側装置３０ａから受信した施設等情報（少量情報）に基づき、図９の１０７ｅ〜１０８ｅと同様にして見出し情報を表示し、ユーザから詳細な情報の表示指示を受け付ける。ここで、ある見出し情報について、詳細な情報の表示指示がユーザから入力された場合、当該見出し情報に対応する施設等に関する詳細な情報の送信を、携帯電話網を介した無線データ通信によってセンタ側装置３０ａへ要求する（Ｓ１０２ｆ）。
【０１７５】
センタ側装置３０ａは、Ｓ１０２ｆで車載用ナビゲーション装置１０から要求のあった施設等に対応する施設等情報（多量情報）の送信を、地域情報センタに配置されたセンタ側装置３０ｂへ指示する（Ｓ３０２ｆ）。
【０１７６】
センタ側装置３０ｂは、センタ側装置３０ａからの指示に対応する施設等情報（多量情報）を施設等情報ＤＢ３３から抽出し、この抽出した施設等情報（多量情報）を、狭域通信システム（ＤＳＲＣ）を介した無線データ通信により要求元の車載用ナビゲーション装置１０へ送信する（Ｓ３０３ｆ）。
【０１７７】
車載用ナビゲーション装置１０は、センタ側装置３０ｂから受信した施設等情報（多量情報）に基づき、図９のＳ１１１ｅと同様にして詳細テキスト及び詳細画像を表示する。
［２−６．第６実施形態］
つぎに、車載用ナビゲーション装置１０、ユーザ側装置２０、及びセンタ側装置３０の各装置で実行される処理の第６実施形態について説明する。
【０１７８】
［２−６−１．立ち寄り履歴登録処理の説明］
図１２は、車載用ナビゲーション装置１０及びセンタ側装置３０が実行する「立ち寄り履歴登録処理」の手順を示すフローチャートである。この立ち寄り履歴登録処理は、「施設等情報提供処理」において、車載用ナビゲーション装置１０がセンタ側装置３０から施設等情報を取得することで開始される。
【０１７９】
まず、車載用ナビゲーション装置１０の処理におけるＳ１０１ｇでは、位置検出部１２からの検出信号に基づく現在位置の検出結果から、ユーザが立ち寄ったと推定される地点を検出する。具体的には、車両が同一地点に所定時間以上停車した場合に、その地点に立ち寄ったものと判定することが考えられる。
【０１８０】
つぎに、Ｓ１０１ｇで検出したユーザの立ち寄り地点が、既に取得した施設等情報が示す施設等の所在地と合致するか否かを判定する（Ｓ１０２ｇ）。ここで、ユーザの立ち寄り地点が施設等の所在地と合致すると判定した場合（Ｓ１０２ｇ：ＹＥＳ）、該当する施設等の施設等ＩＤ及びユーザＩＤに基づいて、ユーザが当該施設に立ち寄った旨を示す立ち寄り履歴情報をセンタ側装置３０へ送信する（Ｓ１０３ｇ）。一方、ユーザの立ち寄り地点が施設等の所在地としないと判定した場合（Ｓ１０２ｇ：ＮＯ）、本処理を終了する。
【０１８１】
センタ側装置３０は、Ｓ１０３ｇで車載用ナビゲーション装置１０から送信された立ち寄り履歴情報を受信する（Ｓ３０１ｇ）。そして、この受信した立ち寄り履歴情報を、ユーザ登録ＤＢ３２（図３（ａ）参照）における該当のユーザの登録情報に、履歴情報として記憶する（Ｓ３０２ｇ）。
【０１８２】
［２−６−２．施設等情報提供処理（第６実施形態）の説明］
つぎに、図１３は、車載用ナビゲーション装置１０、ユーザ側装置２０、及びセンタ側装置３０の各装置が実行する「施設等情報提供処理（第６実施形態）」の手順を示すフローチャートである。
【０１８３】
この「施設等情報提供処理（第６実施形態）」は、第１実施形態（図４参照）のものと比較すると、センタ側装置３０の処理において、図４のＳ３０３ａ〜Ｓ３０５ａの処理に代えてＳ３１３ｇ〜Ｓ３１６ｇの処理を実行する点が異なる。なお、車載用ナビゲーション装置１０及びユーザ側装置２０の処理は、第１実施形態（図４参照）のものと同一であるため、図１３のフローチャートにおいては、センタ側装置３０の処理のみを図示し、車載用ナビゲーション装置１０及びユーザ側装置２０の処理については図示を省略している。図示をしていない部分の処理内容の説明については省略する。
【０１８４】
センタ側装置３０は、車載用ナビゲーション装置１０から送信されたユーザ情報及び位置情報を受信する（Ｓ３１１ｇ）。そして、施設等情報ＤＢ３３に記憶されている施設等情報（図３（ｂ）参照）の中から、受信した位置情報が示す車両の現在位置から所定範囲内に所在する施設等に対応する施設等情報を抽出する（Ｓ３１２ｇ）。具体的には、各施設等情報が示す当該施設等の所在地に基づき、車両の現在地から例えば半径○ｋｍ以内に所在する施設等に該当する施設等情報を検索する。
【０１８５】
つぎに、受信したユーザ情報に含まれるユーザＩＤに基づいて、ユーザ登録ＤＢ３２から当該ユーザに対応する属性情報と履歴情報とを読み出す（Ｓ３１３ｇ）。そして、Ｓ３１２ｇで抽出した施設等情報の中から、読み出した属性情報に適合する施設等情報を抽出する（Ｓ３１４ｇ）。具体的には、施設等情報における「属性１，２…」の項目の内容とユーザの属性情報における各項目の内容とを比較し、内容が一致する項目がある施設等情報をユーザの属性情報に適合するものとして抽出する。
【０１８６】
つぎに、Ｓ３１３ｇで読み出した履歴情報に、当該ユーザの立ち寄り履歴情報が含まれているか否かを判定する（Ｓ３１５ｇ）。この立ち寄り履歴情報は、上述の「立ち寄り履歴登録処理」（図１２参照）において登録されるものである。
【０１８７】
ここで、履歴情報に当該ユーザの立ち寄り履歴情報が含まれると判定した場合（Ｓ３１５ｇ：ＹＥＳ）、Ｓ３１４ｇで抽出した施設等情報のうち、立ち寄り履歴情報が示す施設等に該当するものを所定の強調表示仕様に加工する（Ｓ３１６ｇ）。具体的には、立ち寄り履歴情報が示す施設等に該当する施設等情報に対して、他の施設等情報とは異なる色や文字の大きさ等で表示させるための情報を付加したり、ユーザが過去に立ち寄ったことがある旨のメッセージを表示させるための情報を付加したりすることが考えられる。
【０１８８】
つぎに、Ｓ３１７ｇでは、Ｓ３１４ｇで抽出した施設等情報（Ｓ３１６ｇで加工した施設等情報も含む）を要求元の車載用ナビゲーション装置１０へ送信する。
一方、Ｓ３１５ｇで、履歴情報に当該ユーザの立ち寄り履歴情報が含まれていないと判定した場合（Ｓ３１５ｇ：ＮＯ）、Ｓ３１４ｇで抽出した施設等情報を要求元の車載用ナビゲーション装置１０へ送信する（Ｓ３１７ｇ）。
【０１８９】
［２−６−３．効果］
第６実施形態における各処理を実行する情報提供システムによれば、第１実施形態の効果に加え、更に次のような効果を奏する。
【０１９０】
（１３）施設等情報をユーザに対して提供する際において、ユーザが実際に施設やイベントに立ち寄った履歴情報に基づいて付加的なサービスを提供できる。
［２−６−４．特許請求の範囲との対応］
上記第６実施形態における車載用ナビゲーション装置１０、ユーザ側装置２０、センタ側装置３０の各制御部１１，２１，３１が実行する処理と、特許請求の範囲に記載した構成との対応は、次のとおりである。
【０１９１】
「立ち寄り履歴登録処理」（図１２参照）におけるＳ１０１ｇ〜Ｓ１０３ｇの処理を実行する車載用ナビゲーション装置１０の制御部１１が、立ち寄り履歴送信手段に相当する。また、Ｓ３０２ｇの処理を実行するセンタ側装置３０の制御部３１が、立ち寄り履歴情報記録手段に相当する。
【０１９２】
「施設等情報提供処理（第６実施形態）」（図１３参照）におけるＳ３１２ｇ〜Ｓ３１４ｇの処理を実行するセンタ側装置３０の制御部３１が、検索手段に相当し、Ｓ３１５ｇ〜Ｓ３１７ｇの処理を実行するセンタ側装置３０の制御部３１が、センタ側送信手段に相当する。
【０１９３】
［２−７．第７実施形態］
つぎに、車載用ナビゲーション装置１０、ユーザ側装置２０、及びセンタ側装置３０の各装置で実行される処理の第７実施形態について説明する。
【０１９４】
［２−７−１．詳細要求履歴登録処理の説明］
図１４は、車載用ナビゲーション装置１０及びセンタ側装置３０が実行する「詳細要求履歴登録処理」の手順を示すフローチャートである。この「詳細要求履歴登録処理」は、「施設等情報提供処理」に並行して実行される。なお、ここでいう「施設等情報提供処理」は、上述の第５実施形態（図９参照）のように、車載用ナビゲーション装置１０に表示された見出し情報をユーザが選択することで、当該見出し情報に対応する詳細情報の送信をセンタ側装置３０に対して要求する構成を有することを前提とする。
【０１９５】
まず、車載用ナビゲーション装置１０の処理におけるＳ１０１ｈでは、「施設等情報提供処理」においてユーザから詳細情報を表示するための指示がなされた（すなわち、画面上で見出し情報が選択された）施設等情報を検出する。そして、検出した施設等情報における施設等ＩＤ及びユーザＩＤに基づいて、ユーザが当該施設に関する詳細情報の送信を要求した旨を示す詳細要求履歴情報をセンタ側装置３０へ送信する（Ｓ１０２ｈ）。
【０１９６】
センタ側装置３０は、Ｓ１０２ｈで車載用ナビゲーション装置１０から送信された詳細要求履歴情報を受信する（Ｓ３０１ｈ）。そして、この受信した詳細要求履歴情報を、ユーザ登録ＤＢ３２（図３（ａ）参照）における該当のユーザの登録情報に、履歴情報として記憶する（Ｓ３０２ｈ）。
【０１９７】
［２−７−２．施設等情報提供処理（第７実施形態）の説明］
つぎに、図１５は、車載用ナビゲーション装置１０、ユーザ側装置２０、及びセンタ側装置３０の各装置が実行する「施設等情報提供処理（第７実施形態）」の手順を示すフローチャートである。
【０１９８】
この「施設等情報提供処理（第７実施形態）」は、第５実施形態（図９参照）のように、車載用ナビゲーション装置１０に表示された見出し情報をユーザが選択することで、当該見出し情報に対応する詳細情報の送信をセンタ側装置３０に対して要求する構成を有することを前提とするが、第５実施形態（図９参照）のものと比較すると次の点が異なる。この第７実施形態では、センタ側装置３０の処理において、図９のＳ３０３ｅ〜Ｓ３０６ｅの処理に代えてＳ３１３ｈ〜Ｓ３１７ｈの処理を実行する。
【０１９９】
なお、車載用ナビゲーション装置１０及びユーザ側装置２０の処理は、第５実施形態（図９参照）のものと同一であるため、図１５のフローチャートにおいては、センタ側装置３０の処理のみを図示し、車載用ナビゲーション装置１０及びユーザ側装置２０の処理については図示を省略している。図示をしていない部分の処理内容の説明については省略する。
【０２００】
センタ側装置３０は、車載用ナビゲーション装置１０から送信されたユーザ情報及び位置情報を受信する（Ｓ３１１ｈ）。そして、施設等情報ＤＢ３３に記憶されている施設等情報（図３（ｂ）参照）の中から、受信した位置情報が示す車両の現在位置から所定範囲内に所在する施設等に対応する施設等情報を抽出する（Ｓ３１２ｈ）。具体的には、各施設等情報が示す当該施設等の所在地に基づき、車両の現在地から例えば半径○ｋｍ以内に所在する施設等に該当する施設等情報を検索する。
【０２０１】
つぎに、受信したユーザ情報に含まれるユーザＩＤに基づいて、ユーザ登録ＤＢ３２から当該ユーザに対応する属性情報と履歴情報とを読み出す（Ｓ３１３ｈ）。そして、Ｓ３１２ｈで抽出した施設等情報の中から、読み出した属性情報に適合する施設等情報を抽出する（Ｓ３１４ｈ）。具体的には、施設等情報における「属性１，２…」の項目の内容とユーザの属性情報における各項目の内容とを比較し、内容が一致する項目がある施設等情報をユーザの属性情報に適合するものとして抽出する。
【０２０２】
つぎに、Ｓ３１３ｈで読み出した履歴情報に、当該ユーザの詳細要求履歴情報が含まれているか否かを判定する（Ｓ３１５ｈ）。この詳細要求履歴情報は、上述の「詳細要求履歴登録処理」（図１４参照）において登録されるものである。
【０２０３】
ここで、履歴情報に当該ユーザの詳細要求履歴情報が含まれると判定した場合（Ｓ３１５ｈ：ＹＥＳ）、Ｓ３１４ｈで抽出した施設等情報のうち、詳細要求履歴情報が示す施設等に該当するものを所定の強調表示仕様に加工する（Ｓ３１６ｈ）。具体的には、詳細要求履歴情報が示す施設等に該当する施設等情報に対して、他の施設等情報とは異なる色や文字の大きさ等で表示させるための情報を付加したり、ユーザが過去に詳細情報を要求したことがある旨のメッセージを表示させるための情報を付加したりすることが考えられる。
【０２０４】
つぎに、Ｓ３１７ｈでは、Ｓ３１４ｈで抽出した施設等情報（Ｓ３１６ｈで加工した施設等情報も含む）の中から、少なくとも「施設等ＩＤ」及び「見出し情報」の項目を含み「詳細テキスト」及び「詳細画像」の項目を含まない、相対的に情報量の少ない少量情報を抽出し、これを要求元の車載用ナビゲーション装置１０へ送信する。
【０２０５】
一方、Ｓ３１５ｈで、履歴情報に当該ユーザの詳細要求歴情報が含まれていないと判定した場合（Ｓ３１５ｈ：ＮＯ）、Ｓ３１４ｇで抽出した施設等情報の中から相対的に情報量の少ない少量情報を抽出し、これを要求元の車載用ナビゲーション装置１０へ送信する（Ｓ３１７ｇ）。
【０２０６】
つぎに、Ｓ３１８ｈでは、車載用ナビゲーション装置１０から要求のあった施設等ＩＤに基づき、この施設等ＩＤに対応する施設等情報の中から、少なくとも「詳細テキスト」及び「詳細画像」の項目を含む、相対的に情報量の多い多量情報を抽出し、これを要求元の車載用ナビゲーション装置１０へ送信する。
【０２０７】
［２−７−３．効果］
第７実施形態における各処理を実行する情報提供システムによれば、第５実施形態の効果に加え、更に次のような効果を奏する。
【０２０８】
（１４）施設等情報をユーザに対して提供する際において、ユーザが施設等に関する詳細な情報の送信を要求した履歴情報に基づいて付加的なサービスを提供できる。
［２−７−４．特許請求の範囲との対応］
上記第７実施形態における車載用ナビゲーション装置１０、ユーザ側装置２０、センタ側装置３０の各制御部１１，２１，３１が実行する処理と、特許請求の範囲に記載した構成との対応は、次のとおりである。
【０２０９】
「詳細要求履歴登録処理」（図１４参照）におけるＳ１０１ｈ，Ｓ１０２ｈの処理を実行する車載用ナビゲーション装置１０の制御部１１が、詳細要求歴送信手段に相当する。また、Ｓ３０２ｈの処理を実行するセンタ側装置３０の制御部３１が、詳細履歴情報記録手段に相当する。
【０２１０】
「施設等情報提供処理（第７実施形態）」（図１７参照）におけるＳ３１２ｈ〜Ｓ３１４ｈの処理を実行するセンタ側装置３０の制御部３１が、検索手段に相当し、Ｓ３１５ｈ〜Ｓ３１８ｈの処理を実行するセンタ側装置３０の制御部３１が、センタ側送信手段に相当する。
【０２１１】
［３．その他の実施形態］
以上、本発明の実施形態について説明したが、本発明は上記の実施形態に何ら限定されるものではなく、本発明の技術的範囲に属する限り様々な態様にて実施することが可能である。
【０２１２】
（１）上述の各実施形態の情報提供システムの構成においては、ユーザ側装置２０として携帯電話機を流用した事例について説明したが、携帯電話機に限らず、例えば、無線通信により車両のドアの開錠／施錠及びエンジン動作のための認証を行う電子キーシステムに用いられる携帯機（いわゆるスマートキー）を流用してもよい。このようにすることで、スマートキーが備える演算処理機能や、通信機能、記憶機能等を利用して、ユーザ側装置２０としての機能を実現可能である。また、スマートキー以外にも、通信機能を有するＰＤＡ（Personal Digital Assistant）や、携帯型のゲーム機、ＲＦＩＤタグ等を用いてもよい。
【０２１３】
（２）上述の各実施形態においては、ユーザ側装置２０のユーザ情報記憶部２２に記憶されているユーザ情報がユーザＩＤのみを含む場合（図２（ａ）参照）は、センタ側装置３０のユーザ登録ＤＢ３２内に記憶されている属性情報（図３（ａ）参照）に適合する施設等情報を検索し、ユーザ情報記憶部２２に記憶されているユーザ情報がユーザＩＤと属性情報とを含む場合（図２（ｂ）参照）は、このユーザ情報に含まれる属性情報に適合する施設等情報を検索する構成となっている。
【０２１４】
これに対し、ユーザ側装置２０のユーザ情報記憶部２２に、ユーザ情報として属性情報を少なくとも記憶するようにし、センタ側装置３０のユーザ登録ＤＢ３２を備えないような構成としてもよい。すなわち、このような構成では、センタ側装置３０において個々のユーザの属性情報をデータベースとして記憶することなく、個々のユーザの属性情報は各ユーザが所持するユーザ側装置２０にのみ記憶されることになる。
【図面の簡単な説明】
【０２１５】
【図１】実施形態の情報提供システムの概略構成を示すブロック図である。
【図２】ユーザ情報記憶部２２に記憶されているユーザ情報の構成の一例を示す説明図である。
【図３】（ａ）は、各ユーザ用の登録情報の構成の一例を示す説明図であり、（ｂ）は、施設等情報の構成の一例を示す説明図である。
【図４】施設等情報提供処理（第１実施形態）の手順を示すフローチャートである。
【図５】（ａ）は、車載用ナビゲーション装置１０の表示部１５に設けられたスイッチの一例を模式的に示す説明図であり、（ｂ）は、ユーザ側装置２０に設けられたアイコン及びスイッチの一例を模式的に示す説明図である。
【図６】施設等情報提供処理（第２実施形態）の手順を示すフローチャートである。
【図７】施設等情報提供処理（第３実施形態）の手順を示すフローチャートである。
【図８】施設等情報提供処理（第４実施形態）の手順を示すフローチャートである。
【図９】施設等情報提供処理（第５実施形態）の手順を示すフローチャートである。
【図１０】（ａ）は、施設等情報（見出し情報）の表示態様の一例を模式的に示す説明図であり、（ｂ）は、施設等情報（詳細テキスト、詳細画像）の表示態様の一例を模式的に示す説明図である。
【図１１】第５実施形態の変形例である情報提供システムの概略構成、及び当該情報提供システムが実行する処理の手順を模式的に示す説明図である。
【図１２】立ち寄り履歴登録処理の手順を示すフローチャートである。
【図１３】施設等情報提供処理（第６実施形態）の手順を示すフローチャートである。
【図１４】詳細要求履歴登録処理の手順を示すフローチャートである。
【図１５】施設等情報提供処理（第７実施形態）の手順を示すフローチャートである。
【符号の説明】
【０２１６】
１０…車載用ナビゲーション装置、１１…制御部、１２…位置検出部、１３…操作部、１４…記憶部、１５…表示部、１６…通信部、２０…ユーザ側装置、２１…制御部、２２…ユーザ情報記憶部、２３…操作部、２４…通信部、３０…センタ側装置、３１…制御部、３２…ユーザ登録データベース、３３…施設等情報データベース、３４…通信部、４０…情報提供者側端末、１００…インターネット。
【図１】
2008293102.tif 000003
【図２】
2008293102.tif 000004
【図３】
2008293102.tif 000005
【図４】
2008293102.tif 000006
【図６】
2008293102.tif 000007
【図７】
2008293102.tif 000008
【図８】
2008293102.tif 000009
【図９】
2008293102.tif 000010
【図１１】
2008293102.tif 000011
【図１２】
2008293102.tif 000012
【図１３】
2008293102.tif 000013
【図１４】
2008293102.tif 000014
【図１５】
2008293102.tif 000015
【図５】
2008293102.tif 000016
【図１０】
2008293102.tif 000017